(57)【要約】【課題】開度指令信号の変動によって蒸気弁の開閉動作が行われるときに蒸気弁で機械的接触が生ずることを抑制し、蒸気タービンを安定に運転させる。【解決手段】本実施形態の蒸気弁制御装置は、蒸気タービンの入口に流入する蒸気の流量を調節する蒸気弁を制御する。蒸気弁制御装置は、調速運転を行うときには、最大開度よりも小さく制限した制限開度を上限として蒸気弁を制御する。【選択図】図２
2014185563.tif 000002
【特許請求の範囲】
【請求項１】
蒸気タービンの入口に流入する蒸気の流量を調節する蒸気弁を制御する蒸気弁制御装置であって、
調速運転を行うときには、最大開度よりも小さく制限した制限開度を上限として前記蒸気弁を制御することを特徴とする、
蒸気弁制御装置。
【請求項２】
負荷制限運転を行うときには、最大開度を上限として前記蒸気弁を制御することを特徴とすることを特徴とする、
請求項１に記載の蒸気弁制御装置。
【請求項３】
前記調速運転と前記負荷制限運転との間を切り替えるときには、前記制限開度と前記最大開度との間において開度が一定の割合で変化するように、前記蒸気弁を制御する、
請求項１または２に記載の蒸気弁制御装置。
【請求項４】
蒸気タービンと、
前記蒸気タービンの入口に流入する蒸気の流量を調節する蒸気弁と、
前記蒸気弁を制御する蒸気弁制御装置と
を備え、
前記蒸気弁制御装置は、
調速運転を行うときには、最大開度よりも小さく制限した制限開度を上限として前記蒸気弁を制御することを特徴とする、
蒸気タービンシステム。
【発明の詳細な説明】
【技術分野】
【０００１】
本発明の実施形態は、蒸気弁制御装置、蒸気タービンシステムに関する。
【背景技術】
【０００２】
火力発電所、原子力発電所などの発電所において、蒸気タービンシステムは、蒸気タービンの入口に流入する蒸気の流量を調節するために、蒸気加減弁などの蒸気弁が設置されている（たとえば、特許文献１参照）。
【先行技術文献】
【特許文献】
【０００３】
【特許文献１】特開２００８−２３３７号公報
【発明の概要】
【発明が解決しようとする課題】
【０００４】
図１５は、蒸気弁の一例を模式的に示す断面図である。
【０００５】
蒸気弁Ｖ１０は、図１５に示すように、弁ケーシング２１（弁箱）、上蓋２２、スリーブ２３、主弁２５（弁体）、弁座２６、および、弁棒２７を有し、蒸気タービン（図示省略）の入口に流入する蒸気の流量を調節する。
【０００６】
具体的には、蒸気弁Ｖ１０において、弁ケーシング２１は、側部に設けられた入口（図示省略）から内部の空間に蒸気が流入し、下方に設けられた出口２１Ｅから蒸気が外部へ流出するように構成されている。また、弁ケーシング２１は、上部に開口２１Ｋが形成されている。上蓋２２は、弁ケーシング２１の上部に設置されており、弁ケーシング２１の開口２１Ｋを閉じている。また、上蓋２２は、貫通孔２２Ｋが形成されており、その貫通孔２２Ｋにはブッシュ２２ｂが設置されている。スリーブ２３は、管状体であって、弁ケーシング２１の内部において上部が上蓋２２に支持されている。主弁２５は、管状体であって、内部に弁棒２７を収容し、その弁棒２７の下端部に支持されている。また、主弁２５は、スリーブ２３の内部に収容されている。弁座２６は、弁ケーシング２１の内部において、スリーブ２３の下方に設けられている。弁棒２７は、上蓋２２の貫通孔２２Ｋと共にスリーブ２３の内部を貫通するように設置されている。
【０００７】
蒸気弁Ｖ１０においては、弁ケーシング２１の外部において、弁棒２７が駆動装置（図示省略）に連結されており、駆動装置（図示省略）が弁棒２７を駆動することによって、主弁２５がスリーブ２３の内部にて上下方向にスライドされる。ここでは、制御装置（図示省略）から出力された開度指令信号に応じて駆動装置（図示省略）が動作する。この駆動装置（図示省略）の動作によって、主弁２５と弁座２６との間の開度が調整されて、蒸気の流量が制御される。
【０００８】
具体的には、弁ケーシング２１の内部において、主弁２５が上方に移動して弁座２６から離れて、主弁２５と弁座２６との間が開いたときには、弁ケーシング２１の入口から内部に流入した蒸気が、弁ケーシング２１の出口から外部へ流れる。この一方で、主弁２５が下方に移動して弁座２６に密着し、主弁２５と弁座２６の間が閉じられたときには、その蒸気の流れが止められる。
【０００９】
蒸気タービンシステムにおいては、蒸気弁Ｖ１０を流れる蒸気について、圧力損失を低減することが求められている。また、タービン効率を向上させるために、蒸気弁Ｖ１０を最大開度にして運用を行うことが求められている。このため、蒸気弁Ｖ１０を最大開度にしたときに、上蓋２２に設けられたブッシュ２２ｂに機械的に接触する接触面２７Ｓを弁棒２７に形成することによって、上蓋２２と弁棒２７との間から蒸気が漏れることを防止している。接触面２７Ｓは、弁棒２７の外周面に凸状に突き出た凸部を形成し、その凸部において上蓋２２に対面する部分に設けられる。この他に、図示していないが、たとえば、主弁２５を上蓋２２に機械的に接触させることにより、蒸気の漏れを防止する場合がある。
【００１０】
しかしながら、調速運転を行う場合には、蒸気弁Ｖ１０が全開の状態で系統周波数が変化し、開度指令信号が周期的に変動するので、蒸気弁Ｖ１０においては、上述した機械的接触が繰り返される場合がある。このため、その接触部分が、疲労破壊により、割れが発生する場合がある。
【００１１】
その結果、蒸気タービンを安定に運転させることが困難になる場合がある。
【００１２】
したがって、本発明が解決しようとする課題は、開度指令信号の変動によって蒸気弁の開閉動作が行われるときに蒸気弁で機械的接触が生ずることを抑制し、蒸気タービンを安定に運転させることができる、蒸気弁制御装置、および、蒸気タービンシステムを提供することである。
【課題を解決するための手段】
【００１３】
本実施形態の蒸気弁制御装置は、蒸気タービンの入口に流入する蒸気の流量を調節する蒸気弁を制御する。蒸気弁制御装置は、調速運転を行うときには、最大開度よりも小さく制限した制限開度を上限として蒸気弁を制御する。
【図面の簡単な説明】
【００１４】
【図１】図１は、第１実施形態に係る蒸気タービンシステムの全体構成について、要部を模式的に示す概念図である。
【図２】図２は、第１実施形態に係る制御部の詳細構成について、要部を模式的に示す図である。
【図３】図３は、第１実施形態に係る制御部の詳細構成について、要部を模式的に示す図である。
【図４】図４は、第１実施形態に係る蒸気タービンシステムにおいて、関数発生器で用いる関数を示す図である。
【図５】図５は、第１実施形態に係る蒸気タービンシステムにおいて、変化率制限器の処理を示す図である。
【図６】図６は、第１実施形態に係る蒸気タービンシステムにおいて、開度指令信号と蒸気流量との関係を示す図である。
【図７】図７は、第２実施形態に係る蒸気タービンシステムにおいて、制御部について要部を模式的に示す図である。
【図８】図８は、第２実施形態に係る蒸気タービンシステムにおいて、制御部について要部を模式的に示す図である。
【図９】図９は、第２実施形態に係る蒸気タービンシステムにおいて、制御部の信号を示す図である。
【図１０】図１０は、第２実施形態に係る蒸気タービンシステムにおいて、制御部の信号を示す図である。
【図１１】図１１は、第２実施形態に係る蒸気タービンシステムにおいて、制御部の信号を示す図である。
【図１２】図１２は、第２実施形態に係る蒸気タービンシステムにおいて、制御部の信号を示す図である。
【図１３】図１３は、第２実施形態に係る蒸気タービンシステムにおいて、第１から第４の蒸気弁の開度と、低値優先回路の出力信号（負荷要求信号）との関係を示す図である。
【図１４】図１４は、第２実施形態に係る蒸気タービンシステムにおいて、第１から第４の蒸気弁の開度と、低値優先回路６の出力信号（負荷要求信号）との関係を示す図である。
【図１５】図１５は、蒸気弁の一例を模式的に示す断面図である。
【発明を実施するための形態】
【００１５】
実施形態について、図面を参照して説明する。
【００１６】
＜第１実施形態＞
［Ａ］構成
［Ａ−１］蒸気タービンシステムの全体について
図１は、第１実施形態に係る蒸気タービンシステムの全体構成について、要部を模式的に示す概念図である。
【００１７】
蒸気タービンシステムは、図１に示すように、ボイラ１０、高圧タービン２０、再熱器３０、中圧タービン４０、低圧タービン５０、復水器６０、および、発電機７０を有する。
【００１８】
蒸気タービンシステムにおいて、ボイラ１０と高圧タービン２０との間には、主蒸気管Ｐ１０が設けられており、主蒸気管Ｐ１０には、主蒸気止め弁Ｖ１０ａと蒸気加減弁Ｖ１０ｂとが設置されている。高圧タービン２０と再熱器３０との間には、低温再熱蒸気管Ｐ２０が設けられている。再熱器３０と中圧タービン４０との間には、高温再熱蒸気管Ｐ３０が設けられており、高温再熱蒸気管Ｐ３０には、再熱蒸気止め弁Ｖ３０ａとインターセプト弁Ｖ３０ｂとが設置されている。中圧タービン４０と低圧タービン５０との間には、クロスオーバー管Ｐ４０が設けられている。
【００１９】
蒸気タービンシステムでは、ボイラ１０で発生した蒸気が、主蒸気管Ｐ１０を流れ、主蒸気止め弁Ｖ１０ａと蒸気加減弁Ｖ１０ｂとを順次介して、高圧タービン２０に流入する。そして、高圧タービン２０から排出された蒸気が、低温再熱蒸気管Ｐ２０を流れ、再熱器３０に流入する。そして、再熱器３０で再熱された蒸気が、高温再熱蒸気管Ｐ３０を流れ、再熱蒸気止め弁Ｖ３０ａとインターセプト弁Ｖ３０ｂとを順次介して、中圧タービン４０に流入する。そして、中圧タービン４０から排出された蒸気が、クロスオーバー管Ｐ４０を流れて、低圧タービン５０に流入する。その後、蒸気は、復水器６０で凝縮（復水）され、図示を省略しているが、その復水がボイラ１０に戻される。
【００２０】
蒸気タービンシステムでは、高圧タービン２０と中圧タービン４０と低圧タービン５０とにおいてタービンロータが同軸に連結されており、これらの各部に作動流体として流入した蒸気が膨張し仕事を行うことによって、タービンロータを回転させる。そして、そのタービンロータの回転によって、発電機７０が駆動し、発電が行われる。
【００２１】
図１に示すように、蒸気タービンシステムは、上記の他に、制御部１００（蒸気タービン制御装置）を有する。
【００２２】
制御部１００は、各部の動作を制御する。たとえば、制御部１００は、蒸気加減弁Ｖ１０ｂ（蒸気弁）を制御する蒸気弁制御装置であって、高圧タービン２０と中圧タービン４０と低圧タービン５０とによって構成される蒸気タービンの入口に流入する蒸気の流量を調節する。制御部１００は、タービン回転数検出器２１が検出した実回転数の信号を受け、その実回転数に基づいて、蒸気加減弁Ｖ１０ｂの動作を制御する。
【００２３】
ここでは、蒸気加減弁Ｖ１０ｂとして、たとえば、前述の図１５に示した蒸気弁Ｖ１０と同じ構成の蒸気弁が、４つ設けられており、制御部１００は、「絞り調速方式」で、その４つの蒸気弁Ｖ１０を制御する。つまり、本実施形態において、蒸気タービンへ供給する蒸気量を増加させるときには、制御部１００は、その４つの蒸気弁Ｖ１０のそれぞれを同時に同じ開度で開ける。
【００２４】
本実施形態では、制御部１００は、「調速運転」を行うときには、最大開度よりも小さく制限した制限開度を上限として、蒸気加減弁Ｖ１０ｂを構成する複数の蒸気弁Ｖ１０の動作を制御する。
【００２５】
この一方で、制御部１００は、「負荷制限運転」を行うときには、最大開度を上限として、複数の蒸気弁Ｖ１０の動作を制御する。
【００２６】
［Ａ−２］制御部１００（蒸気タービン制御装置）の詳細について
図２，図３は、第１実施形態に係る制御部１００の詳細構成について、要部を模式的に示す図である。ここでは、制御部１００の詳細構成を、図２と図３とに分けて示している。
【００２７】
制御部１００は、図２に示すように、偏差演算器１，速度調定率器２，負荷設定器３，加算器４，負荷制限器５，および、低値優先回路６（ＬＶＧ）を有している。
【００２８】
この他に、本実施形態では、制御部１００は、図２，図３に示すように、第１の弁制御部１１と、第２の弁制御部１２と、第３の弁制御部１３と、第４の弁制御部１４とを有する。
【００２９】
ここで、第１の弁制御部１１は、関数発生器１１１と、比較器１１２と、スイッチ回路１１３（ＡＳＷ）と、変化率制限器１１４と、低値優先回路１１５とを含む。第１の弁制御部１１は、蒸気加減弁Ｖ１０ｂとして設けられた複数の蒸気弁Ｖ１０のうち、第１の蒸気弁Ｖ１０＿１に開度指令信号Ｓ１１を出力する。
【００３０】
これ同様に、第２の弁制御部１２と第３の弁制御部１３と第４の弁制御部１４とのそれぞれは、関数発生器１２１，１３１，１４１と、比較器１２２，１３２，１４２と、スイッチ回路１２３，１３３，１４３と、変化率制限器１２４，１３４，１４４と、低値優先回路１２５，１３５，１４５とを含む。第２の弁制御部１２と第３の弁制御部１３と第４の弁制御部１４とのそれぞれは、蒸気加減弁Ｖ１０ｂとして設けられた複数の蒸気弁Ｖ１０のうち、第２の蒸気弁Ｖ１０＿２，第３の蒸気弁Ｖ１０＿３，第４の蒸気弁Ｖ１０＿４のそれぞれに、開度指令信号Ｓ１２，Ｓ１３，Ｓ１４を出力する。
【００３１】
制御部１００において、各部は演算器によって構成されている。制御部１００では、各部において演算処理を実施した後、その演算処理によって得た開度指令信号Ｓ１１，Ｓ１２，Ｓ１３，Ｓ１４を、複数の蒸気弁Ｖ１０＿１〜４（蒸気加減弁Ｖ１０ｂ）のそれぞれへ出力し、高圧タービン２０（図１参照）へ供給する蒸気の流量を調整する。
【００３２】
制御部１００を構成する各部について順次説明する。
【００３３】
［Ａ−２−１］偏差演算器１
偏差演算器１は、図２に示すように、回転数設定信号Ｓ０と実回転数信号ＳＪの間の偏差を算出する。具体的には、偏差演算器１は、設定されたタービンの目標回転数に対応する回転数設定信号Ｓ０の値と、タービン回転数検出器２１（図１参照）がタービンの回転を実測することによって得た実回転数信号ＳＪの値との間の差分値を求める。
【００３４】
そして、偏差演算器１は、その求めた偏差の値を出力信号Ｓ１として速度調定率器２へ出力する。
【００３５】
［Ａ−２−２］速度調定率器２
速度調定率器２は、図２に示すように、偏差演算器１が出力した出力信号Ｓ１にゲイン（１／ｋ）を乗算する。つまり、速度調定率器２は、偏差演算器１の出力信号Ｓ１の値に対して、速度調定率ｋの逆数を積算する演算処理を行う。速度調定率ｋは、予め設定された値であって、たとえば、５％であり、この場合には、偏差演算器１から出力された出力信号Ｓ１が２０倍（＝１／０．０５）になる。
【００３６】
そして、速度調定率器２は、上記の処理により得た値を出力信号Ｓ２（＝Ｓ１／ｋ）として加算器４へ出力する。
【００３７】
［Ａ−２−３］負荷設定器３
負荷設定器３は、図２に示すように、設定したタービンの負荷設定値に対応する負荷設定信号Ｓ３を、出力信号として加算器４に出力する。
【００３８】
［Ａ−２−４］加算器４
加算器４は、図２に示すように、速度調定率器２が出力した出力信号Ｓ２と、負荷設定器３が出力した負荷設定信号Ｓ３とについて加算処理を実施することによって、負荷要求信号Ｓ４（＝Ｓ２＋Ｓ３＝Ｘａ）を求める。
【００３９】
そして、加算器４は、その負荷要求信号Ｓ４（＝Ｘａ）を低値優先回路６へ出力する。
【００４０】
［Ａ−２−５］負荷制限器５
負荷制限器５は、図２に示すように、タービンの負荷制限値に対応する負荷制限信号Ｓ５（＝Ｘｂ）を低値優先回路６に出力する。
【００４１】
［Ａ−２−６］低値優先回路６
低値優先回路６は、図２に示すように、加算器４が出力した負荷要求信号Ｓ４（＝Ｘａ）と、負荷制限器５が出力した負荷制限信号Ｓ５（＝Ｘｂ）との間において、低い方の値を選択する。
【００４２】
ここでは、「調速運転」を行う際には、負荷要求信号Ｓ４（＝Ｘａ）が負荷制限信号Ｓ５（＝Ｘｂ）以下である（Ｓ４≦Ｓ５（つまり、Ｘａ≦Ｘｂ））。このため、この場合には、負荷設定信号Ｓ４（＝Ｘａ）が選択される。
【００４３】
一方で、「負荷制限運転」を行う際には、負荷要求信号Ｓ４（＝Ｘａ）が負荷制限信号Ｓ５（＝Ｘｂ）よりも大きい（Ｓ４＞Ｓ５（Ｘａ＞Ｘｂ））。このため、この場合には、負荷制限信号Ｓ５（＝Ｘｂ）が選択される。
【００４４】
そして、低値優先回路６は、その選択した信号を、出力信号Ｓ６（＝Ｓ４またはＳ５（＝ＸａまたはＸｂ））として、第１の弁制御部１１，第２の弁制御部１２，第３の弁制御部１３，第４の弁制御部１４のそれぞれの関数発生器１１１，１２１，１３１，１４１に出力する。
【００４５】
［Ａ−２−７］第１の弁制御部１１
［Ａ−２−７−１］関数発生器１１１
第１の弁制御部１１のうち、関数発生器１１１は、低値優先回路６が出力した出力信号Ｓ６（Ｓ４またはＳ５）が入力される。そして、関数発生器１１１は、その低値優先回路６が出力した出力信号Ｓ６に基づいて、開度指令信号Ｓ１１１（＝Ｘｃ）を出力する。
【００４６】
具体的には、関数発生器１１１は、低値優先回路６の出力信号Ｓ６に関連付けて設定された関数Ｆ（Ｓ６）を用いて、その出力信号Ｓ６に対応する開度指令信号Ｓ１１１（＝Ｘｃ＝Ｆ（Ｓ６））を求める。そして、その求めた開度指令信号Ｓ１１１（＝Ｘｃ）を低値優先回路１１５に出力する。
【００４７】
図４は、第１実施形態に係る蒸気タービンシステムにおいて、関数発生器１１１で用いる関数Ｆ（Ｓ６）を示す図である。
【００４８】
図４において、横軸は、低値優先回路６が出力した出力信号Ｓ６の信号値であり、縦軸は、関数発生器１１１が出力する開度指令信号Ｓ１１１（＝Ｘｃ）の信号値である。
【００４９】
図４に示すように、関数Ｆ（Ｓ６）は、低値優先回路６が出力した出力信号Ｓ６の信号値が０から１００％までの間においては、その信号値の増加に伴って、開度指令信号Ｓ１１１（＝Ｘｃ）の信号値が大きくなるように設定されている。ここでは、低値優先回路６の出力信号Ｓ６に応じて、開度指令信号Ｓ１１１（＝Ｘｃ）が一定の割合で増加するのではなく、開度指令信号Ｓ１１１（＝Ｘｃ）が増加する割合が大きくなるように設定されている。
【００５０】
そして、関数Ｆ（Ｓ６）は、低値優先回路６が出力した出力信号Ｓ６の信号値が１００％を超えたときには、その出力信号Ｓ６の信号値に関わらずに、開度指令信号Ｓ１１１（＝Ｘｃ）の信号値が１００％の一定値になるように設定されている。
【００５１】
［Ａ−２−７−２］比較器１１２
第１の弁制御部１１のうち、比較器１１２は、加算器４が出力した負荷要求信号Ｓ４（＝Ｘａ）が入力されると共に、負荷制限器５が出力した負荷制限信号Ｓ５（＝Ｘｂ）が入力される。
【００５２】
そして、比較器１１２は、負荷要求信号Ｓ４（＝Ｘａ）と負荷制限信号Ｓ５（＝Ｘｂ）とについて比較処理を行い、その比較処理の結果に基づいて、出力信号Ｓ１１２を出力する。
【００５３】
具体的には、「調速運転」を行うときには、上述したように、負荷要求信号Ｓ４（＝Ｘａ）の値が負荷制限信号Ｓ５（＝Ｘｂ）の値以下である（Ｓ４≦Ｓ５（つまり、Ｘａ≦Ｘｂ））。この場合においては、比較器１１２は、信号値が０の信号（Ｌｏｗ信号）を出力信号Ｓ１１２としてスイッチ回路１１３に出力する。
【００５４】
この一方で、「負荷制限運転」を行うときには、上述したように、負荷要求信号Ｓ４（＝Ｘａ）の値は、負荷制限信号Ｓ５（＝Ｘｂ）の値よりも大きい（Ｓ４＞Ｓ５（つまり、Ｘａ＞Ｘｂ））。この場合においては、比較器１１２は、信号値が１の信号（Ｈｉｇｈ信号）を出力信号Ｓ１１２としてスイッチ回路１１３に出力する。
【００５５】
［Ａ−２−７−３］スイッチ回路１１３
第１の弁制御部１１のうち、スイッチ回路１１３は、比較器１１２が出力した出力信号Ｓ１１２が入力される。この他に、スイッチ回路１１３は、１００−α％（たとえば、α＝５〜１０％）の開度を示す開度指令信号Ｓａと、１００＋β％（たとえば、α＝５〜１５％）の開度を示す開度指令信号Ｓｂとのそれぞれが入力される。
【００５６】
スイッチ回路１１３は、比較器１１２が出力した出力信号Ｓ１１２に基づいて、１００−α％の開度を示す開度指令信号Ｓａと、１００＋β％の開度を示す開度指令信号Ｓｂとのいずれかを切り替えて、出力信号Ｓ１１３として変化率制限器１１４に出力する。
【００５７】
具体的には、「調速運転」を行うときには、上述したように、信号値が０の出力信号Ｓ１１２（Ｌｏｗ信号）が比較器１１２からスイッチ回路１１３に出力される。この場合には、スイッチ回路１１３は、１００−α％の開度を示す開度指令信号Ｓａを出力信号Ｓ１１３として変化率制限器１１４に出力する。
【００５８】
この一方で、「負荷制限運転」を行うときに、上述したように、信号値が１の出力信号Ｓ１１２（Ｈｉｇｈ信号）が比較器１１２からスイッチ回路１１３に出力される。この場合には、スイッチ回路１１３は、１００＋β％の開度を示す開度指令信号Ｓｂを出力信号Ｓ１１３として変化率制限器１１４に出力する。
【００５９】
［Ａ−２−７−４］変化率制限器１１４
第１の弁制御部１１のうち、変化率制限器１１４は、スイッチ回路１１３が出力した出力信号Ｓ１１３（ＳａまたはＳｂ）（１００＋α％または１００＋β％）が入力される。
【００６０】
変化率制限器１１４は、スイッチ回路１１３が出力した出力信号Ｓ１１３の信号値が切り替わったときに、予め定めた時間内で信号値を一定の割合で変化させて、出力信号Ｓ１１４として出力する。
【００６１】
図５は、第１実施形態に係る蒸気タービンシステムにおいて、変化率制限器１１４の処理を示す図である。
【００６２】
図５において、横軸は、時間ｔであり、縦軸は、開度（信号値）を示している。また、図５（ａ）は、スイッチ回路１１３が出力した出力信号Ｓ１１３（変化率制限器１１４の入力信号）を示し、図５（ｂ）は、変化率制限器１１４が出力する出力信号Ｓ１１４を示している。
【００６３】
図５（ａ）に示すように、スイッチ回路１１３の出力信号Ｓ１１３が、１００−α％から１００＋β％に切り替えられた場合には、図５（ｂ）に示すように、変化率制限器１１４の出力信号Ｓ１１４を、予め定めた時間Ｔ１１４内において、１００−α％から１００＋β％に一定の割合で増加させる。つまり、スイッチ回路１１３から矩形状に出力された出力信号Ｓ１１３をランプ状に変形し、変化率制限器１１４の出力信号Ｓ１１４として出力する。
【００６４】
具体的には、図５（ａ）及び図５（ｂ）に示すように、スイッチ回路１１３の出力信号Ｓ１１３が、１００−α％から１００＋β％に切り替えられる時点Ｔｓ以前においては、変化率制限器１１４は、１００−α％の出力信号Ｓ１１４を出力する。そして、切り替え時点Ｔｓ後においては、変化率制限器１１４は、予め設定された時間Ｔ１１４内に、１００−α％から１００＋β％に一定の割合で増加させて、出力信号Ｓ１１４を出力する。そして、予め定めた時間Ｔ１１４以後においては、１００＋β％の出力信号Ｓ１１４を出力する。
【００６５】
図示を省略しているが、スイッチ回路１１３の出力信号Ｓ１１３が、１００＋β％から１００−α％に切り替えられた場合には、変化率制限器１１４の出力信号Ｓ１１４を、予め設定された時間Ｔ１１４内において、１００＋β％から１００−α％に一定の割合で減少させる。
【００６６】
なお、出力信号Ｓ１１４を変化させる時間Ｔ１１４は、たとえば、３〜５秒間であるが、任意に設定可能である。
【００６７】
［Ａ−２−７−５］低値優先回路１１５
第１の弁制御部１１のうち、低値優先回路１１５は、図２に示すように、関数発生器１１１が出力した開度指令信号Ｓ１１１（＝Ｘｃ）と、変化率制限器１１４が出力した出力信号Ｓ１１４（＝Ｓａ〜Ｓｂ＝１００−α％〜１００＋β％）とのそれぞれが入力される。
【００６８】
そして、低値優先回路１１５は、関数発生器１１１が出力した開度指令信号Ｓ１１１（＝Ｘｃ）と、変化率制限器１１４が出力した出力信号Ｓ１１４（＝Ｓａ〜Ｓｂ）とについて比較処理を行って低い方の値を選択し、その選択した値を開度指令信号Ｓ１１として出力する。
【００６９】
「調速運転」を行うときには、変化率制限器１１４が出力する出力信号Ｓ１１４は、信号値が１００−α％である。このため、低値優先回路１１５が出力する開度指令信号Ｓ１１は、信号値の上限が１００−α％になる。したがって、第１の蒸気弁Ｖ１０＿１の開度は、１００−α％に制限される。
【００７０】
この一方で、「負荷制限運転」を行うときには、変化率制限器１１４が出力する出力信号Ｓ１１４は、信号値が１００＋β％である。このため、低値優先回路１１５が出力する開度指令信号Ｓ１１は、信号値の上限が１００＋β％になる。したがって、第１の蒸気弁Ｖ１０＿１の開度は、制限されない。
【００７１】
上記のように、本実施形態では、「負荷制限運転」を行うときには、最大開度を上限として、第１の蒸気弁Ｖ１０＿１の制御を行う。そして、「調速運転」を行うときには、最大開度よりも小さく制限した制限開度（１００−α％）を上限として、第１の蒸気弁Ｖ１０＿１の制御を行う。
【００７２】
［Ａ−２−８］第２の弁制御部１２，第３の弁制御部１３，第４の弁制御部１４
第２の弁制御部１２，第３の弁制御部１３，第４の弁制御部１４のそれぞれは、図２，図３に示すように、第１の弁制御部１１と同様に構成されている。
【００７３】
第２の弁制御部１２は、第１の弁制御部１１と同様に、各部において演算処理を行い、第２の蒸気弁Ｖ１０＿２に開度指令信号Ｓ１２を出力する。
【００７４】
第３の弁制御部１３は、第１の弁制御部１１と同様に、各部において演算処理を行い、第３の蒸気弁Ｖ１０＿３に開度指令信号Ｓ１３を出力する。
【００７５】
第４の弁制御部１４は、第１の弁制御部１１と同様に、各部において演算処理を行い、第４の蒸気弁Ｖ１０＿４に開度指令信号Ｓ１４を出力する。
【００７６】
これにより、本実施形態では、「負荷制限運転」を行うときには、第１の蒸気弁Ｖ１０＿１の場合と同様に、最大開度を上限として、第２の蒸気弁Ｖ１０＿２，第３の蒸気弁Ｖ１０＿３，第４の蒸気弁Ｖ１０＿４のそれぞれについて、制御が行なわれる。そして、「調速運転」を行うときには、第１の蒸気弁Ｖ１０＿１の場合と同様に、最大開度よりも小さく制限した制限開度（１００−α％）を上限として、第２の蒸気弁Ｖ１０＿２，第３の蒸気弁Ｖ１０＿３，第４の蒸気弁Ｖ１０＿４のそれぞれについて、制御が行なわれる。
【００７７】
本実施形態は、「絞り調速方式」で運用される場合を示しているので、第２の蒸気弁Ｖ１０＿２，第３の蒸気弁Ｖ１０＿３，第４の蒸気弁Ｖ１０＿４のそれぞれは、第１の蒸気弁Ｖ１０＿１と同時に同じ開度になるように、制御される。
【００７８】
［Ｂ］動作
上記の蒸気タービンシステムの動作について示す。
【００７９】
ここでは、「絞り調速方式」で蒸気タービンを運用するときの制御部１００の動作に関して、「調速運転」の場合と、「負荷制限運転」の場合とに分けて説明する。
【００８０】
［Ｂ−１］「調速運転」の場合
「調速運転」の場合には、上述したように、負荷要求信号Ｓ４（＝Ｘａ）が負荷制限信号Ｓ５（＝Ｘｂ）以下である（Ｓ４≦Ｓ５（つまり、Ｘａ≦Ｘｂ））。このため、低値優先回路６では、負荷設定信号Ｓ４（＝Ｘａ）が選択され、低値優先回路６から、出力信号Ｓ６として、第１の弁制御部１１、第２の弁制御部１２，第３の弁制御部１３，第４の弁制御部１４のそれぞれに出力される（図２，図３参照）。
【００８１】
第１の弁制御部１１においては、図２に示すように、低値優先回路６の出力信号Ｓ６（＝Ｘａ）が、関数発生器１１１に入力される。関数発生器１１１では、関数Ｆ（Ｓ６）を用いて、その低値優先回路６の出力信号Ｓ６（＝Ｘａ）に対応する開度指令信号Ｓ１１１（＝Ｘｃ＝Ｆ（Ｘａ））が求められ、低値優先回路１１５に出力される。
【００８２】
第１の弁制御部１１においては、上記の他に、図２に示すように、負荷要求信号Ｓ４（＝Ｘａ）と負荷制限信号Ｓ５（＝Ｘｂ）とのそれぞれが、比較器１１２に入力される。そして、比較器１１２において比較処理が行われ、その比較処理の結果に基づいて、比較器１１２から出力信号Ｓ１１２が出力される。ここでは、「調速運転」を行うので、負荷要求信号Ｓ４（＝Ｘａ）の値が負荷制限信号Ｓ５（＝Ｘｂ）の値以下である（Ｓ４≦Ｓ５（Ｘａ≦Ｘｂ））。このため、この場合には、信号値が０の出力信号Ｓ１１２（Ｌｏｗ信号）が、比較器１１２からスイッチ回路１１３に出力される。
【００８３】
比較器１１２の出力信号Ｓ１１２が０の信号値（Ｌｏｗ信号）である場合、スイッチ回路１１３においては、１００−α％の信号値である開度指令信号Ｓａが、出力信号Ｓ１１３として変化率制限器１１４に出力される。そして、スイッチ回路１１３の出力信号Ｓ１１３に応じて、変化率制限器１１４が出力信号Ｓ１１４を低値優先回路１１５に出力する。ここでは、スイッチ回路１１３の出力信号Ｓ１１３が、１００−α％と１００＋β％との間で切り替えられた場合を除いて、スイッチ回路１１３の出力信号Ｓ１１３と同じ信号値の信号が、出力信号Ｓ１１４（＝Ｓａ＝１００−α％）として変化率制限器１１４から出力される。
【００８４】
そして、低値優先回路１１５においては、関数発生器１１１が出力した開度指令信号Ｓ１１１（＝Ｘｃ＝Ｆ（Ｘａ））と、変化率制限器１１４の出力信号Ｓ１１４（＝Ｓａ＝１００−α％）とを比較する比較処理が行われる。そして、両者のうち低値が開度指令信号Ｓ１１として低値優先回路１１５から第１の蒸気弁Ｖ１０＿１に出力される。このため、低値優先回路１１５が出力する開度指令信号Ｓ１１は、信号値の上限が１００−α％になる。したがって、第１の蒸気弁Ｖ１０＿１の開度は、１００−α％に制限される。
【００８５】
第２の弁制御部１２、第３の弁制御部１３、第４の弁制御部１４のそれぞれにおいても、第１の弁制御部１１の場合と同様に演算処理を行う。そして、第２の蒸気弁Ｖ１０＿２、第３の蒸気弁Ｖ１０＿３、第４の蒸気弁Ｖ１０＿４のそれぞれに、開度指令信号Ｓ１２，Ｓ１３，Ｓ１４が出力される（図２，図３参照）。
【００８６】
このため、第２の弁制御部１２、第３の弁制御部１３、第４の弁制御部１４のそれぞれが出力する開度指令信号Ｓ１２，Ｓ１３，Ｓ１４のそれぞれも、上記と同様に、信号値の上限が１００−α％になる。したがって、第２の蒸気弁Ｖ１０＿２、第３の蒸気弁Ｖ１０＿３、第４の蒸気弁Ｖ１０＿４の開度は、第１の蒸気弁Ｖ１０＿１の場合と同様に、１００−α％に制限される。
【００８７】
図６は、第１実施形態に係る蒸気タービンシステムにおいて、開度指令信号Ｓ１１（Ｓ１２，Ｓ１３，Ｓ１４）と蒸気流量との関係を示す図である。
【００８８】
図６において、横軸は、開度指令信号Ｓ１１（Ｓ１２，Ｓ１３，Ｓ１４）の信号値であり、縦軸は、複数の蒸気弁Ｖ１０（Ｖ１０＿１〜４）を流れる蒸気流量Ｆを示している。
【００８９】
図６に示すように、蒸気弁Ｖ１０を流れる蒸気流量Ｆは、開度指令信号Ｓ１１の信号値が大きくなるに伴って増加する。
【００９０】
ここでは、開度指令信号Ｓ１１の信号値が０％から１００−α％より少し小さい部分では、蒸気流量Ｆが開度指令信号Ｓ１１の信号値に比例して大きくなる。つまり、この部分では、開度指令信号Ｓ１１に対して蒸気流量Ｆが増加する割合が一定であって、線形（直線）である。
【００９１】
この一方で、開度指令信号Ｓ１１の信号値が１００−α％の近傍から１００％になる部分では、開度指令信号Ｓ１１と蒸気流量Ｆとの間に比例関係が成立しない。この部分では、開度指令信号Ｓ１１の信号値が０％から１００−α％より少し小さい部分よりも、蒸気流量Ｆが増加する割合が小さい。また、この部分は、蒸気流量Ｆが増加する割合が、開度指令信号Ｓ１１の増加に伴って減少しており、蒸気流量Ｆが、ほぼ一定である。
【００９２】
したがって、「調速運転」の場合に、蒸気弁Ｖ１０の開度を１００−α％に制限しても、蒸気流量Ｆは、ほとんど変化しない。
【００９３】
［Ｂ−２］「負荷制限運転」の場合
「負荷制限運転」の場合には、上述したように、負荷要求信号Ｓ４（＝Ｘａ）が負荷制限信号Ｓ５（＝Ｘｂ）よりも大きい（Ｓ４＞Ｓ５（つまり、Ｘａ＞Ｘｂ））。このため、低値優先回路６においては、負荷制限信号Ｓ５（＝Ｘｂ）が選択され、その選択された負荷制限信号Ｓ５（＝Ｘｂ）が、出力信号Ｓ６として、低値優先回路６から、第１の弁制御部１１、第２の弁制御部１２，第３の弁制御部１３，第４の弁制御部１４のそれぞれに出力される（図２，図３参照）。
【００９４】
そして、第１の弁制御部１１においては、図２に示すように、低値優先回路６の出力信号Ｓ６（＝Ｘｂ）が、関数発生器１１１に入力される。関数発生器１１１では、関数Ｆ（Ｓ６）を用いて、その低値優先回路６の出力信号Ｓ６（＝Ｘｂ）に対応する開度指令信号Ｓ１１１（Ｘｃ＝Ｆ（Ｘｂ））が求められ、低値優先回路１１５に出力される。
【００９５】
第１の弁制御部１１においては、図２に示すように、上記の他に、負荷要求信号Ｓ４（＝Ｘａ）と負荷制限信号Ｓ５（＝Ｘｂ）とのそれぞれが、比較器１１２に入力される。そして、比較器１１２において比較処理が行われ、その比較処理の結果に基づいて、比較器１１２が出力信号Ｓ１１２を出力する。ここでは、「負荷制限運転」を行うので、負荷要求信号Ｓ４（＝Ｘａ）の値が負荷制限信号Ｓ５（＝Ｘｂ）の値よりも大きい（Ｓ４＞Ｓ５（Ｘａ＞Ｘｂ））。このため、この場合には、信号値が１の出力信号Ｓ１１２（Ｈｉｇｈ信号）を、比較器１１２がスイッチ回路１１３に出力する。
【００９６】
比較器１１２が出力した出力信号Ｓ１１２の信号値が１である場合（Ｈｉｇｈ信号）には、スイッチ回路１１３は、１００＋β％の開度指令信号Ｓｂを出力信号Ｓ１１３として変化率制限器１１４に出力する。その後、変化率制限器１１４が出力信号Ｓ１１４（＝Ｓｂ＝１００＋β％）を低値優先回路１１５に出力する。
【００９７】
そして、図２に示すように、低値優先回路１１５においては、関数発生器１１１が出力した開度指令信号Ｓ１１１（＝Ｘｃ＝Ｆ（Ｘｂ））と、変化率制限器１１４が出力した出力信号Ｓ１１４（＝Ｓｂ＝１００＋β％）との間を比較する比較処理が行われる。そして、両者のうち低い方の値が、開度指令信号Ｓ１１として、第１の蒸気弁Ｖ１０＿１に出力される。
【００９８】
このため、低値優先回路１１５が出力する開度指令信号Ｓ１１は、信号値の上限が１００＋β％になる。したがって、第１の蒸気弁Ｖ１０＿１の開度は、最大開度まで開けられる。
【００９９】
第２の弁制御部１２、第３の弁制御部１３、第４の弁制御部１４のそれぞれにおいても、第１の弁制御部１１の場合と同様に演算処理を行い、第２の蒸気弁Ｖ１０＿２、第３の蒸気弁Ｖ１０＿３、第４の蒸気弁Ｖ１０＿４のそれぞれに、開度指令信号Ｓ１２，Ｓ１３，Ｓ１４を出力する（図２，図３参照）。第２の弁制御部１２、第３の弁制御部１３、第４の弁制御部１４のそれぞれが出力する開度指令信号Ｓ１２，Ｓ１３，Ｓ１４のそれぞれも、上記と同様に、信号値の上限が１００＋β％になる。したがって、第２の蒸気弁Ｖ１０＿２、第３の蒸気弁Ｖ１０＿３、第４の蒸気弁Ｖ１０＿４の開度は、第１の蒸気弁Ｖ１０＿１の場合と同様に、最大開度まで開けられる。
【０１００】
［Ｃ］まとめ
以上のように、本実施形態の蒸気タービンシステムにおいては、高圧タービン２０と中圧タービン４０と低圧タービン５０とが、蒸気タービンとして設置されている。また、蒸気タービンシステムは、その蒸気タービンの入口に流入する蒸気の流量を調節する蒸気加減弁Ｖ１０ｂとして、複数の蒸気弁Ｖ１０＿１〜４が設置されている。そして、その複数の蒸気弁Ｖ１０＿１〜４を制御する制御部１００（蒸気弁制御装置）が設けられている（図１参照）。
【０１０１】
制御部１００は、低値優先回路６の出力信号Ｓ６（＝負荷要求信号Ｘａ）等に応じて、開度指令信号Ｓ１１，Ｓ１２，Ｓ１３，Ｓ１４を、複数の蒸気弁Ｖ１０＿１〜４のそれぞれに出力することによって（図２，図３参照）、蒸気タービンを「絞り調速方式」で運用する。つまり、制御部１００は、複数の蒸気弁Ｖ１０＿１〜４のそれぞれが、同時に同じ開度になるように、制御を行う。
【０１０２】
本実施形態では、制御部１００は、「調速運転」を行うときには、最大開度（１００％）よりも小さく制限した制限開度（１００−α％）を上限として、複数の蒸気弁Ｖ１０＿１〜４のそれぞれを制御する。
【０１０３】
このように、本実施形態において、「調速運転」を行うときには、複数の蒸気弁Ｖ１０＿１〜４において、弁棒２７と上蓋２２との間に一定のクリアランスがある状態が保持される（図１５参照）。このため、本実施形態では、「調速運転」を行う場合において、複数の蒸気弁Ｖ１０＿１〜４が全開の状態で系統周波数が変化し、開度指令信号が周期的に変動するときであっても、弁棒２７が上蓋２２に繰返して接触することを防止できる。その結果、複数の蒸気弁Ｖ１０＿１〜４において、疲労破壊により割れが発生することを防止できる。
【０１０４】
この一方で、「負荷制限運転」を行うときには、制御部１００は、複数の蒸気弁Ｖ１０＿１〜４の開度を制限せずに、最大開度（１００％）を上限として、制御を行う。複数の蒸気弁Ｖ１０＿１〜４を、最大開度（全開）まで開くことによって、弁棒２７が上蓋２２に接触した状態が保持され、弁棒２７と上蓋２２との隙間から蒸気が漏れることを防止できる（図１５参照）。その結果、タービンの性能を向上することができる。
【０１０５】
本実施形態では、制御部１００は、「調速運転」と「負荷制限運転」との間を切り替えるときには、制限開度（１００−α％）と最大開度（１００％）との間において開度が一定の割合で変化するように、複数の蒸気弁Ｖ１０＿１〜４を制御する。このため、本実施形態においては、複数の蒸気弁Ｖ１０＿１〜４の開度が大きく変化することを防止できる。
【０１０６】
したがって、本実施形態においては、蒸気タービンを安定に運転させることできる。
【０１０７】
＜第２実施形態＞
［Ａ］構成
図７，図８は、第２実施形態に係る蒸気タービンシステムにおいて、制御部１００について要部を模式的に示す図である。ここでは、図２，図３の場合と同様に、制御部１００の詳細構成を、図７と図８とに分けて示している。
【０１０８】
本実施形態においては、図７，図８に示すように、制御部１００において、第１の弁制御部１１と第２の弁制御部１２と第３の弁制御部１３と第４の弁制御部１４とのそれぞれの構成の一部が、第１実施形態の場合と異なる。また、制御部１００は、「絞り調速方式」ではなく、「ノズル調速方式」にて運用するように制御する。本実施形態は、この点、および、関連する点を除き、第１実施形態の場合と同様である。このため、本実施形態において、この実施形態と重複する個所については、適宜、記載を省略する。
【０１０９】
制御部１００において、第１の弁制御部１１は、図７に示すように、第１実施形態の場合と同様に、関数発生器１１１、比較器１１２（第１比較器）、スイッチ回路１１３、変化率制限器１１４、及び、低値優先回路１１５を備える。この他に、第１実施形態の場合と異なり、第１の弁制御部１１は、比較器１１６（第２比較器）と、取消し回路１１７と、ＯＲ回路１１８（論理和回路）とを更に有する。
【０１１０】
これと同様に、第２の弁制御部１２、第３の弁制御部１３、および、第４の弁制御部１４のそれぞれは、図７，図８に示すように、第１実施形態の場合と同様に、関数発生器１２１，１３１，１４１と、比較器１２２，１３２，１４２と、スイッチ回路１２３，１３３，１４３と、変化率制限器１２４，１３４，１４４と、低値優先回路１２５，１３５，１４５とを備える。この他に、第１実施形態の場合と異なり、第２の弁制御部１２、第３の弁制御部１３、および、第４の弁制御部１４のそれぞれは、第１の弁制御部１１の場合と同様に、比較器１２６，１３６，１４６と、取消し回路１２７，１３７，１４７と、ＯＲ回路１２８，１３８，１４８とを、更に有する。
【０１１１】
また、制御部１００は、上記したように、第１実施形態の場合と異なり、「ノズル調速方式」で蒸気タービンを運用する。つまり、制御部１００は、蒸気タービンへ供給する蒸気量を増加させるときには、第１の蒸気弁Ｖ１０＿１と、第２の蒸気弁Ｖ１０＿２と、第３の蒸気弁Ｖ１０＿３と、第４の蒸気弁Ｖ１０＿４との順で、弁を開け始めると共に、弁を全開にするように、各部を制御する。
【０１１２】
この場合において、制御部１００は、「調速運転」を行うときには、複数の蒸気弁Ｖ１０＿１〜４のうち、調速のために開度が調節されるものについては、最大開度（１００％）よりも小さく制限した制限開度（１００−α％）を上限として、制御を行う。
【０１１３】
これに対して、「負荷制限運転」を行うときには、制御部１００は、複数の蒸気弁Ｖ１０＿１〜４の開度を制限せずに、最大開度を上限として、制御を行う。
【０１１４】
制御部１００を構成する各部の詳細について順次説明する。
【０１１５】
［Ａ−１］第１の弁制御部１１
［Ａ−１−１］比較器１１６（第２比較器）
第１の弁制御部１１のうち、比較器１１６は、図７に示すように、加算器４が出力した負荷要求信号Ｓ４（＝Ｘａ）が入力される。
【０１１６】
そして、比較器１１６は、その入力された負荷要求信号Ｓ４と、予め設定された閾値ＴＨｂ（＝Ｙ１＋α１）とを比較する比較処理を行う。そして、比較器１１６は、その比較処理の結果に応じて、ＯＲ回路１１８に出力信号Ｓ１１６を出力する。
【０１１７】
具体的には、負荷要求信号Ｓ４（＝Ｘａ）の値が、予め設定された閾値ＴＨｂ（＝Ｙ１＋α１）以下のときには（Ｓ４≦ＴＨｂ）、比較器１１６は、信号値が０の信号（Ｌｏｗ信号）を、出力信号Ｓ１１６として出力する。
【０１１８】
この一方で、負荷要求信号Ｓ４（＝Ｘａ）の値が、その閾値ＴＨｂ（＝Ｙ１＋α１）よりも大きいときには（Ｓ４＞ＴＨｂ）、比較器１１６は、信号値が１の信号（Ｈｉｇｈ信号）を、出力信号Ｓ１１６として出力する。
【０１１９】
［Ａ−１−２］取消し回路１１７
取消し回路１１７は、信号値が１の出力信号Ｓ１１６（Ｈｉｇｈ信号）を比較器１１６（第２比較器）が出力しているときには、その信号値が１の出力信号Ｓ１１６を保持し、負荷要求信号Ｓ４（＝Ｘａ）の値が閾値ＴＨａ（＝Ｙ１）以下に低下した場合（Ｘａ≦Ｙ１）には、その信号値が１である出力信号Ｓ１１６（Ｈｉｇｈ信号）を取り消す。
【０１２０】
そして、この場合には、取消し回路１１７は、比較器１１６（第２比較器）が出力する出力信号Ｓ１１６の信号値を０（Ｌｏｗ信号）にする。
【０１２１】
［Ａ−１−３］ＯＲ回路１１８
ＯＲ回路１１８は、図７に示すように、比較器１１２（第１比較器）の出力信号Ｓ１１２と、比較器１１６（第２比較器）の出力信号Ｓ１１６とのそれぞれが入力される。そして、ＯＲ回路１１８は、論理和演算処理を行い、その演算結果を出力信号Ｓ１１８として出力する。
【０１２２】
具体的には、「調速運転」を行うときには、信号値が０である出力信号Ｓ１１２（Ｌｏｗ信号）が比較器１１２（第１比較器）から出力され、ＯＲ回路１１８に入力される。この一方で、「負荷制限運転」を行うときには、信号値が１である出力信号Ｓ１１２（Ｈｉｇｈ信号）が比較器１１２（第１比較器）から出力され、ＯＲ回路１１８に入力される。
【０１２３】
上記したように、負荷要求信号Ｓ４（＝Ｘａ）の値が閾値ＴＨｂ以下のときには（Ｓ４≦ＴＨｂ）、信号値が０である出力信号Ｓ１１６（Ｌｏｗ信号）が比較器１１６（第２比較器）から出力され、ＯＲ回路１１８に入力される。この一方で、負荷要求信号Ｓ４（＝Ｘａ）の値が閾値ＴＨｂよりも大きいときには（Ｓ４＞ＴＨｂ）、信号値が１である出力信号Ｓ１１６（Ｈｉｇｈ信号）が比較器１１６（第２比較器）から出力され、ＯＲ回路１１８に入力される。
【０１２４】
そして、ＯＲ回路１１８は、比較器１１２（第１比較器）の出力信号Ｓ１１２と、比較器１１６（第２比較器）の出力信号Ｓ１１６との少なくとも一方が、信号値が１の信号（Ｈｉｇｈ信号）である場合には、信号値が１の出力信号Ｓ１１８（Ｈｉｇｈ信号）を出力する。
【０１２５】
これに対して、ＯＲ回路１１８は、比較器１１２（第１比較器）の出力信号Ｓ１１２と、比較器１１６（第２比較器）の出力信号Ｓ１１６との両者が、信号値が０の信号（Ｌｏｗ信号）である場合には、信号値が０の出力信号Ｓ１１８（Ｌｏｗ信号）を出力する。
【０１２６】
ＯＲ回路１１８の出力信号Ｓ１１８は、スイッチ回路１１３に入力される。そして、スイッチ回路１１３においては、そのＯＲ回路１１８の出力信号Ｓ１１８に基づいて、変化率制限器１１４に出力信号Ｓ１１３を出力する。そして、変化率制限器１１４の出力信号が、第１実施形態の場合と同様に、低値優先回路１１５に入力される。その後、低値優先回路１１５において、関数発生器１１１が出力した開度指令信号Ｓ１１１（＝Ｘｃ）と、変化率制限器１１４が出力した出力信号Ｓ１１４とのうち、低値が選択され、その選択された値が開度指令信号Ｓ１１として出力される。そして、第１の蒸気弁Ｖ１０＿１が、その開度指令信号Ｓ１１に基づいて動作する。
【０１２７】
［Ａ−２］第２の弁制御部１２，第３の弁制御部１３，第４の弁制御部１４
第２の弁制御部１２，第３の弁制御部１３，第４の弁制御部１４のそれぞれは、図７，図８に示すように、第１の弁制御部１１と同様に構成されている。
【０１２８】
第２の弁制御部１２は、第１の弁制御部１１と同様に、各部において演算処理を行い、第２の蒸気弁Ｖ１０＿２に開度指令信号Ｓ１２を出力する。そして、第２の蒸気弁Ｖ１０＿２が、その開度指令信号Ｓ１２に基づいて動作する。
【０１２９】
第３の弁制御部１３は、第１の弁制御部１１と同様に、各部において演算処理を行い、第３の蒸気弁Ｖ１０＿３に開度指令信号Ｓ１３を出力する。そして、第３の蒸気弁Ｖ１０＿３が、その開度指令信号Ｓ１３に基づいて動作する。
【０１３０】
第４の弁制御部１４は、第１の弁制御部１１と同様に、各部において演算処理を行い、第４の蒸気弁Ｖ１０＿４に開度指令信号Ｓ１４を出力する。そして、第４の蒸気弁Ｖ１０＿４が、その開度指令信号Ｓ１４に基づいて動作する。
【０１３１】
本実施形態では、上述したように、「ノズル調速方式」で運用される。このため、蒸気タービンの入口へ供給する蒸気量を増加させるときには、第２の蒸気弁Ｖ１０＿２，第３の蒸気弁Ｖ１０＿３，第４の蒸気弁Ｖ１０＿４のそれぞれは、第１の蒸気弁Ｖ１０＿１が開き始めた後に、開度指令信号Ｓ１２，Ｓ１３，Ｓ１４に応じて、順次、開き始める。また、第２の蒸気弁Ｖ１０＿２，第３の蒸気弁Ｖ１０＿３，第４の蒸気弁Ｖ１０＿４のそれぞれは、第１の蒸気弁Ｖ１０＿１が最大開度（全開）になった後に、順次、最大開度（全開）になる。
【０１３２】
［Ａ−３］制御部１００の信号について
図９，図１０，図１１，図１２は、第２実施形態に係る蒸気タービンシステムにおいて、制御部１００の信号を示す図である。
【０１３３】
図９は、第１の弁制御部１１で用いられる信号の一部を示している。ここで、図９（ａ）において、横軸は、低値優先回路６の出力信号Ｓ６（＝ＸａまたはＸｂ）の信号値である。縦軸は、第１の弁制御部１１を構成する関数発生器１１１が出力する開度指令信号Ｓ１１１の信号値（実線）と、第１の弁制御部１１を構成するスイッチ回路１１３の出力信号Ｓ１１３の信号値（破線）である。また、図９（ｂ）において、横軸は、低値優先回路６の出力信号Ｓ６（＝ＸａまたはＸｂ）の信号値であり、縦軸は、第１の弁制御部１１を構成する低値優先回路１１５が出力する開度指令信号Ｓ１１の信号値である。
【０１３４】
同様に、図１０，図１１，図１２は、第２の弁制御部１２，第３の弁制御部１３，第４の弁制御部１４で用いられる信号の一部を示している。ここで、図１０（ａ），図１１（ａ），図１２（ａ）は、横軸が、低値優先回路６の出力信号Ｓ６（＝ＸａまたはＸｂ）の信号値である。縦軸は、第２の弁制御部１２，第３の弁制御部１３，第４の弁制御部１４のそれぞれを構成する関数発生器１２１，１３１，１４１の出力信号Ｓ１２１，Ｓ１３１，Ｓ１４１の信号値（実線）と、スイッチ回路１２３，１３３，１４３の出力信号Ｓ１２３，Ｓ１３３，Ｓ１４３の信号値（破線）である。また、図１０（ｂ），図１１（ｂ），図１２（ｂ）は、横軸が、低値優先回路６の出力信号Ｓ６（＝ＸａまたはＸｂ）の信号値であり、縦軸が、第２の弁制御部１２，第３の弁制御部１３，第４の弁制御部１４のそれぞれを構成する低値優先回路１２５，１３５，１４５が出力する開度指令信号Ｓ１２，Ｓ１３，Ｓ１４の信号値である。
【０１３５】
図９〜図１２においては、第１から第４の弁制御部１１〜１４の関数発生器１１１，１２１，１３１，１４１で用いる関数Ｆ１（Ｓ６）〜Ｆ４（Ｓ６）を示している。また、第１から第４の弁制御部１１〜１４の比較器１１６，１２６，１３６，１４６が比較処理のときに用いる閾値ＴＨｂ（＝Ｙ１＋α１，Ｙ２＋α２，Ｙ３＋α３，Ｙ４＋α４）を示している。これと共に、第１から第４の弁制御部１１〜１４の取消し回路１１７，１２７，１３７，１４７が動作するときに用いる閾値ＴＨａ（＝Ｙ１，Ｙ２，Ｙ３，Ｙ４）を示している。
【０１３６】
［Ａ−３−１］関数発生器１１１，１２１，１３１，１４１が用いる関数Ｆ１（Ｓ６）〜Ｆ４（Ｓ６）について
関数Ｆ１（Ｓ６）〜Ｆ４（Ｓ６）は、図９（ａ）〜図１２（ａ）に示すように、低値優先回路６の出力信号Ｓ６の信号値の増加に伴って、開度指令信号Ｓ１１１（＝Ｘｃ），Ｓ１２１（＝Ｘｄ），Ｓ１３１（＝Ｘｅ），Ｓ１４１（＝Ｘｆ）の信号値が増加する部分を含むように設定されている。
【０１３７】
ここでは、低値優先回路６の出力信号Ｓ６のうち、開度指令信号Ｓ１１１，Ｓ１２１，Ｓ１３１，Ｓ１４１の信号値が０％よりも大きくなる出力信号Ｓ６の信号値Ｙ１ｓ，Ｙ２ｓ，Ｙ３ｓ，Ｙ４ｓは、第１から第４の弁制御部１１〜１４の順で大きくなっている。また、低値優先回路６の出力信号Ｓ６のうち、開度指令信号Ｓ１１１，Ｓ１２１，Ｓ１３１，Ｓ１４１の信号値が１００％よりも大きくなる出力信号Ｓ６の信号値（図示省略）は、第１から第４の弁制御部１１〜１４の順で大きくなっている。
【０１３８】
具体的には、図９（ａ）に示すように、第１の弁制御部１１の関数発生器１１１で用いられる関数Ｆ１（Ｓ６）は、出力信号Ｓ６の信号値が０（＝Ｙ１ｓ）から増加するに伴って、開度指令信号Ｓ１１１（＝Ｘｃ）の信号値が大きくなるように設定されている。そして、低値優先回路６の出力信号Ｓ６の信号値が閾値ＴＨａ（＝Ｙ１）よりも大きな値になったときに、開度指令信号Ｓ１１１（＝Ｘｃ）の信号値が１００％になる。そして、さらに出力信号Ｓ６の信号値が大きくなった場合には、その信号値の増加に関わらずに、開度指令信号Ｓ１１１（＝Ｘｃ）の信号値が１００％で一定になる。
【０１３９】
図１０（ａ）に示すように、第２の弁制御部１２の関数発生器１２１が用いる関数Ｆ２（Ｓ６）は、低値優先回路６の出力信号Ｓ６が、所定の信号値Ｙ２ｓ（＞０）未満のときには、開度指令信号Ｓ１２１（＝Ｘｄ）の信号値が０になるように設定されている。そして、低値優先回路６の出力信号Ｓ６が、その所定の信号値Ｙ２ｓ以上に増加するに伴って、開度指令信号Ｓ１２１（＝Ｘｄ）の信号値が大きくなる。そして、低値優先回路６の出力信号Ｓ６の信号値が閾値ＴＨａ（＝Ｙ２＞Ｙ２ｓ）よりも大きな値になったときに、開度指令信号Ｓ１２１（＝Ｘｄ）の信号値が１００％になる。そして、さらに出力信号Ｓ６の信号値が大きくなった場合には、その信号値の増加に関わらずに、開度指令信号Ｓ１２１（＝Ｘｄ）の信号値が１００％で一定になる。
【０１４０】
図１１（ａ）に示すように、第３の弁制御部１３の関数発生器１３１が用いる関数Ｆ３（Ｓ６）は、低値優先回路６の出力信号Ｓ６が、所定の信号値Ｙ３ｓ（＞Ｙ２ｓ）未満のときには、開度指令信号Ｓ１３１（＝Ｘｅ）の信号値が０になるように設定されている。そして、低値優先回路６の出力信号Ｓ６が、その所定の信号値Ｙ３ｓ以上に増加するに伴って、開度指令信号Ｓ１３１（＝Ｘｅ）の信号値が大きくなる。そして、低値優先回路６の出力信号Ｓ６の信号値が閾値ＴＨａ（＝Ｙ３＞Ｙ３ｓ）よりも大きな値になったときに、開度指令信号Ｓ１３１（＝Ｘｅ）の信号値が１００％になる。そして、さらに出力信号Ｓ６の信号値が大きくなった場合には、その信号値の増加に関わらずに、開度指令信号Ｓ１３１（＝Ｘｅ）の信号値が１００％で一定になる。
【０１４１】
図１２（ａ）に示すように、第４の弁制御部１４の関数発生器１４１が用いる関数Ｆ４（Ｓ６）は、低値優先回路６の出力信号Ｓ６が、所定の信号値Ｙ４ｓ（＞Ｙ３ｓ）未満のときには、開度指令信号Ｓ１４１（＝Ｘｆ）の信号値が０になるように設定されている。そして、低値優先回路６の出力信号Ｓ６が、その所定の信号値Ｙ４ｓ以上に増加するに伴って、開度指令信号Ｓ１４１（＝Ｘｆ）の信号値が大きくなる。そして、低値優先回路６の出力信号Ｓ６の信号値が閾値ＴＨａ（＝Ｙ４＞Ｙ４ｓ）よりも大きな値になったときに、開度指令信号Ｓ１４１（＝Ｘｆ）の信号値が１００％になる。そして、さらに出力信号Ｓ６の信号値が大きくなった場合には、その信号値の増加に関わらずに、開度指令信号Ｓ１４１（＝Ｘｆ）の信号値が１００％で一定になる。
【０１４２】
［Ａ−３−２］比較器１１６，１２６，１３６，１４６の閾値ＴＨｂ（＝Ｙ１＋α１，Ｙ２＋α２，Ｙ３＋α３，Ｙ４＋α４）について
第１から第４の弁制御部１１〜１４のそれぞれにおいて、比較器１１６，１２６，１３６，１４６が比較処理のときに用いる閾値ＴＨｂ（＝Ｙ１＋α１，Ｙ２＋α２，Ｙ３＋α３，Ｙ４＋α４）は、図９〜図１２に示すように、第１から第４の弁制御部１１〜１４の順で、大きくなるように設定されている。
【０１４３】
具体的には、第２の弁制御部１２の比較器１２６が比較処理のときに用いる閾値ＴＨｂ（＝Ｙ２＋α２）は、第１の弁制御部１１の比較器１１６が用いる閾値ＴＨｂ（＝Ｙ１＋α１）よりも大きい。第３の弁制御部１３の比較器１３６が比較処理のときに用いる閾値ＴＨｂ（＝Ｙ３＋α３）は、第２の弁制御部１２の比較器１２６が用いる閾値ＴＨｂ（＝Ｙ２＋α２）よりも大きい。第４の弁制御部１４の比較器１４６が比較処理のときに用いる閾値ＴＨｂ（＝Ｙ４＋α４）は、第３の弁制御部１３の比較器１３６が用いる閾値ＴＨｂ（＝Ｙ３＋α３）よりも大きい（つまり、Ｙ１＋α１＞Ｙ２＋α２＞Ｙ３＋α３＞Ｙ４＋α４）。
【０１４４】
［Ａ−３−３］取消し回路１１７，１２７，１３７，１４７の閾値ＴＨａ（＝Ｙ１，Ｙ２，Ｙ３，Ｙ４）について
第１から第４の弁制御部１１〜１４のそれぞれにおいて、取消し回路１１７，１２７，１３７，１４７が動作するときに用いる閾値ＴＨａ（＝Ｙ１，Ｙ２，Ｙ３，Ｙ４）は、図９〜図１２に示すように、第１から第４の弁制御部１１〜１４の順で、大きくなるように設定されている。
【０１４５】
具体的には、第２の弁制御部１２の取消し回路１２７が動作するときに用いる閾値ＴＨａ（＝Ｙ２）は、第１の弁制御部１１の取消し回路１１７が用いる閾値ＴＨａ（＝Ｙ１）よりも大きい。第３の弁制御部１３の取消し回路１３７が動作するときに用いる閾値ＴＨａ（＝Ｙ３）は、第２の弁制御部１２の取消し回路１２７が用いる閾値ＴＨａ（＝Ｙ２）よりも大きい。第４の弁制御部１４の取消し回路１４７が動作するときに用いる閾値ＴＨａ（＝Ｙ４）は、第３の弁制御部１３の取消し回路１３７が用いる閾値ＴＨａ（＝Ｙ３）よりも大きい（つまり、Ｙ１＞Ｙ２＞Ｙ３＞Ｙ４）。
【０１４６】
取消し回路１１７，１２７，１３７，１４７が動作するときに用いる閾値ＴＨａ（Ｙ１，Ｙ２，Ｙ３，Ｙ４）は、第１から第４の蒸気弁Ｖ１０＿１〜４のそれぞれが、全開（１００％）に対して、たとえば、５〜１０％程度小さい開度（９０〜９５％）にするときの値に相当する。
【０１４７】
また、第１から第４の弁制御部１１，１２，１３，１４のそれぞれにおいて、取消し回路１１７，１２７，１３７，１４７が動作するときに用いる閾値ＴＨａは、比較器１１６，１２６，１３６，１４６が比較処理のときに用いる閾値ＴＨｂよりも小さい（ＴＨａ＜ＴＨｂ）。このため、比較器１１６，１２６，１３６，１４６が比較処理のときに用いる閾値ＴＨｂは、取消し回路１１７，１２７，１３７，１４７が動作するときに用いる閾値ＴＨａ（＝Ｙ１，Ｙ２，Ｙ３，Ｙ４）に対して、たとえば、５〜１５％程度の所定値（＝α１，α２，α３，α４）を加算した値に相当する。
【０１４８】
［Ｃ］動作
上記の蒸気タービンシステムの動作について示す。
【０１４９】
ここでは、上記の図９，図１０，図１１，図１２と共に、図７，図８を参照し、「ノズル調速方式」で蒸気タービンを運用するときの制御部１００の動作に関して、「調速運転」の場合と「負荷制限運転」の場合とに分けて説明を行う。
【０１５０】
［Ｃ−１］「調速運転」の場合
「調速運転」の場合には、上述したように、負荷要求信号Ｓ４（＝Ｘａ）が負荷制限信号Ｓ５（＝Ｘｂ）以下である（Ｓ４≦Ｓ５（つまり、Ｘａ≦Ｘｂ））。このため、低値優先回路６においては、負荷設定信号Ｓ４（＝Ｘａ）が選択されて、出力信号Ｓ６として、低値優先回路６から、第１の弁制御部１１、第２の弁制御部１２，第３の弁制御部１３，第４の弁制御部１４のそれぞれに出力される（図７，図８参照）。そして、第１の弁制御部１１、第２の弁制御部１２，第３の弁制御部１３，第４の弁制御部１４のそれぞれにおいて演算処理が行われて、各部から開度指令信号Ｓ１１，Ｓ１２，Ｓ１３，Ｓ１４が出力される。
【０１５１】
［Ｃ−１−１］第１の弁制御部１１の動作
第１の弁制御部１１においては、図７に示すように、第１実施形態の場合と同様に、低値優先回路６の出力信号Ｓ６（＝Ｘａ）が、関数発生器１１１に入力される。関数発生器１１１では、関数Ｆ１（Ｓ６）を用いて、その低値優先回路６の出力信号Ｓ６（＝Ｘａ）に対応する開度指令信号Ｓ１１１（＝Ｘｃ＝Ｆ１（Ｘａ））が求められ（図９（ａ）参照）、低値優先回路１１５に出力される。
【０１５２】
また、図７に示すように、負荷要求信号Ｓ４（＝Ｘａ）と負荷制限信号Ｓ５（＝Ｘｂ）とのそれぞれが、比較器１１２（第１比較器）に入力される。そして、比較器１１２において比較処理が行われ、その比較処理の結果に基づいて、比較器１１２から出力信号Ｓ１１２が出力される。ここでは、「調速運転」を行うので、負荷要求信号Ｓ４（＝Ｘａ）の値が負荷制限信号Ｓ５（＝Ｘｂ）の値以下である（Ｓ４≦Ｓ５（つまり、Ｘａ≦Ｘｂ））。このため、この場合には、信号値が０の出力信号Ｓ１１２（Ｌｏｗ信号）が比較器１１２からＯＲ回路１１８に出力される。
【０１５３】
これと共に、第１の弁制御部１１では、図７に示すように、第１実施形態の場合と異なり、加算器４が出力した負荷要求信号Ｓ４（＝Ｘａ）が比較器１１６（第２比較器）に入力される。そして、比較器１１６においては、その入力された負荷要求信号Ｓ４と、予め設定された閾値ＴＨｂ（＝Ｙ１＋α１）とを比較する比較処理が行なわれる（図９参照）。そして、その比較処理の結果に応じて、比較器１１６がＯＲ回路１１８に出力信号Ｓ１１６を出力する。
【０１５４】
ここでは、負荷要求信号Ｓ４（＝Ｘａ）の値が閾値ＴＨｂ（＝Ｙ１＋α１）以下のときには（Ｓ４≦ＴＨｂ）、信号値が０である出力信号Ｓ１１６（Ｌｏｗ信号）を、比較器１１６がＯＲ回路１１８に出力する。この一方で、負荷要求信号Ｓ４（＝Ｘａ）の値が閾値ＴＨｂ（＝Ｙ１＋α１）よりも大きいときには（Ｓ４＞ＴＨｂ）、信号値が１である出力信号Ｓ１１６（Ｈｉｇｈ信号）を、比較器１１６がＯＲ回路１１８に出力する。
【０１５５】
ＯＲ回路１１８においては、図７に示すように、比較器１１２（第１比較器）の出力信号Ｓ１１２と、比較器１１６（第２比較器）の出力信号Ｓ１１６とについて論理和演算処理を行い、その演算結果を出力信号Ｓ１１８として出力する。
【０１５６】
具体的には、比較器１１２（第１比較器）の出力信号Ｓ１１２と、比較器１１６（第２比較器）の出力信号Ｓ１１６との少なくとも一方の信号値が１である場合には、信号値が１の出力信号Ｓ１１８（Ｈｉｇｈ信号）を、ＯＲ回路１１８が出力する。これに対して、比較器１１２（第１比較器）の出力信号Ｓ１１２と、比較器１１６（第２比較器）の出力信号Ｓ１１６との両者について信号値が０である場合には、信号値が０の出力信号Ｓ１１８（Ｌｏｗ信号）を、ＯＲ回路１１８が出力する。
【０１５７】
ここでは、「調速運転」を行うため、上述したように、信号値が０である出力信号Ｓ１１２（Ｌｏｗ信号）が比較器１１２（第１比較器）からＯＲ回路１１８に入力される。このため、比較器１１６（第２比較器）が出力する出力信号Ｓ１１６の信号値が１（Ｈｉｇｈ信号）の場合には、信号値が１の出力信号Ｓ１１８（Ｈｉｇｈ信号）を、ＯＲ回路１１８が出力する。一方で、比較器１１６（第２比較器）が出力する出力信号Ｓ１１６の信号値が０（Ｌｏｗ信号）の場合には、信号値が０の出力信号Ｓ１１８（Ｌｏｗ信号）を、ＯＲ回路１１８が出力する。
【０１５８】
ＯＲ回路１１８が出力した出力信号Ｓ１１８の信号値が０（Ｌｏｗ信号）である場合には、１００−α％の開度指令信号Ｓａが出力信号Ｓ１１３としてスイッチ回路１１３から変化率制限器１１４に出力される。そして、変化率制限器１１４から出力信号Ｓ１１４（＝Ｓａ＝１００−α％）が、低値優先回路１１５に出力される。これに対して、ＯＲ回路１１８が出力した出力信号Ｓ１１８の信号値が１（Ｈｉｇｈ信号）である場合には、１００＋β％の開度指令信号Ｓｂが出力信号Ｓ１１３としてスイッチ回路１１３から変化率制限器１１４に出力される。そして、変化率制限器１１４から出力信号Ｓ１１４（＝Ｓｂ＝１００＋β％）が、低値優先回路１１５に出力される。
【０１５９】
そして、図７に示すように、低値優先回路１１５においては、関数発生器１１１が出力した開度指令信号Ｓ１１１（＝Ｘｃ＝Ｆ（Ｘａ））と、変化率制限器１１４が出力した出力信号Ｓ１１４（＝ＳａまたはＳｂ）とを比較する比較処理が行われる。そして、両者のうち低値が開度指令信号Ｓ１１として第１の蒸気弁Ｖ１０＿１に出力される。
【０１６０】
変化率制限器１１４の出力信号Ｓ１１４（＝ＳａまたはＳｂ）は、スイッチ回路１１３の出力信号Ｓ１１３が切り替わったときを除いて、スイッチ回路１１３の出力信号Ｓ１１３と同じである（図５参照）。このため、図９（ａ）に示すように、スイッチ回路１１３の出力信号Ｓ１１３（破線）と、関数発生器１１１が出力した開度指令信号Ｓ１１１（太い実線）とを比較して低い方の値が、図９（ｂ）に示すように、開度指令信号Ｓ１１として低値優先回路１１５から出力される。
【０１６１】
具体的には、図９に示すように、低値優先回路６の出力信号Ｓ６（＝負荷要求信号Ｘａ）が、第１の蒸気弁Ｖ１０＿を全閉（０％）にする信号値Ｙ１ｓから、全開（１００％）にする信号値よりも大きい閾値ＴＨｂ（＝Ｙ１＋α１）以下までの範囲（０≦Ｘａ≦ＴＨｂ）において増加する場合には、最大開度（１００％）よりも小さく制限した制限開度（１００−α％）を上限とするように、開度指令信号Ｓ１１が出力される。
【０１６２】
ここでは、図９（ａ）に示すように、低値優先回路６が出力した出力信号Ｓ６（＝Ｘａ）の信号値が閾値ＴＨａ（＝Ｙ１）より小さい場合には、スイッチ回路１１３の出力信号Ｓ１１３（＝Ｓａ＝１００−α％）よりも、関数発生器１１１が出力した開度指令信号Ｓ１１１の方が低値である。このため、図９（ｂ）に示すように、関数発生器１１１が出力した開度指令信号Ｓ１１１と同じ信号が、低値優先回路１１５から開度指令信号Ｓ１１として出力される。この場合には、低値優先回路６の出力信号Ｓ６の信号値の増加に応じて、低値優先回路１１５が出力する開度指令信号Ｓ１１の信号値が増加するように、開度指令信号Ｓ１１の出力が行われる。その結果、第１の蒸気弁Ｖ１０＿１は、低値優先回路１１５が出力する開度指令信号Ｓ１１の信号値に応じて、全て閉められた状態（全閉＝０％）から、最大開度よりも小さく制限された制限開度（１００−α％）の間において、開度が調整される。
【０１６３】
図９（ａ）に示すように、低値優先回路６が出力した出力信号Ｓ６の信号値が、閾値ＴＨａ（＝Ｙ１）よりも小さい状態から増加して、その閾値ＴＨａ（＝Ｙ１）よりも大きい閾値ＴＨｂ（＝Ｙ１＋α１）未満になった場合には、関数発生器１１１が出力した開度指令信号Ｓ１１１よりも、スイッチ回路１１３の出力信号Ｓ１１３（＝Ｓａ＝１００−α）の方が低値である。このため、図９（ｂ）に示すように、スイッチ回路１１３の出力信号Ｓ１１３（＝Ｓａ＝１００−α）と同じ信号が低値優先回路１１５から開度指令信号Ｓ１１として出力される。この場合には、低値優先回路６が出力する出力信号Ｓ６の信号値の増加に関わらずに、低値優先回路１１５が出力する開度指令信号Ｓ１１の信号値が、１００−α％の一定値になるように、開度指令信号Ｓ１１の出力が行われる。その結果、第１の蒸気弁Ｖ１０＿１は、最大開度（全開＝１００％）ではなく、最大開度よりも小さく制限された制限開度（１００−α％）になるように調整される。
【０１６４】
これに対して、図９（ａ）に示すように、低値優先回路６の出力信号Ｓ６（＝Ｘａ）が閾値ＴＨｂ（＝Ｙ１＋α１）を超えた場合（Ｘａ＞Ｔｈｂ）には、スイッチ回路１１３の出力信号Ｓ１１３（＝Ｓｂ＝１００＋β）よりも、関数発生器１１１が出力した開度指令信号Ｓ１１１の方が低値である。このため、図９（ｂ）に示すように、関数発生器１１１が出力した開度指令信号Ｓ１１１と同じ信号が、低値優先回路１１５から開度指令信号Ｓ１１として出力される。この場合には、低値優先回路６が出力する出力信号Ｓ６の信号値の増加に関わらずに、低値優先回路１１５が出力する開度指令信号Ｓ１１の信号値が、１００％の一定値になるように、開度指令信号Ｓ１１の出力が行われる。その結果、第１の蒸気弁Ｖ１０＿１は、最大開度（全開＝１００％）になるように調整される。
【０１６５】
この他に、本実施形態では、上記したように、信号値が１の出力信号Ｓ１１６（Ｈｉｇｈ信号）を比較器１１６（第２比較器）が出力しているときには、取消し回路１１７が、その信号値が１の出力信号Ｓ１１６を保持し、負荷要求信号Ｓ４（＝Ｘａ）の値が閾値ＴＨａ（ＴＨａ＝Ｙ１）以下に低下した場合には、その信号値が１である出力信号Ｓ１１６（Ｈｉｇｈ信号）を取り消す。そして、この場合には、取消し回路１１７は、比較器１１６（第２比較器）が出力する出力信号Ｓ１１６の信号値を０（Ｌｏｗ信号）にする。
【０１６６】
この動作により、図９（ａ）に示すように、低値優先回路６の出力信号Ｓ６が閾値ＴＨｂを超えた状態から閾値ＴＨｂ以下に低下した場合であっても、スイッチ回路１１３の出力信号Ｓ１１３（＝Ｓｂ＝１００＋β）よりも、関数発生器１１１が出力した開度指令信号Ｓ１１１の方が低値の状態になる。このため、図９（ｂ）に示すように、関数発生器１１１が出力した開度指令信号Ｓ１１１と同じ信号が、低値優先回路１１５から開度指令信号Ｓ１１として出力される。この場合には、低値優先回路６が出力する出力信号Ｓ６の信号値の低下に関わらずに、低値優先回路１１５が出力する開度指令信号Ｓ１１の信号値が、１００％の一定値になるように、開度指令信号Ｓ１１の出力が行われる。その結果、第１の蒸気弁Ｖ１０＿１は、最大開度（全開）になるように調整される。
【０１６７】
そして、図９（ａ）に示すように、低値優先回路６の出力信号Ｓ６が、その閾値ＴＨｂよりも更に低下して閾値ＴＨａ以下になった場合には、スイッチ回路１１３の出力信号Ｓ１１３（＝Ｓａ＝１００−α）よりも、関数発生器１１１が出力した開度指令信号Ｓ１１１の方が低値になる。このため、図９（ｂ）に示すように、関数発生器１１１が出力した開度指令信号Ｓ１１１と同じ信号が、低値優先回路１１５から開度指令信号Ｓ１１として出力される。この場合には、低値優先回路６の出力信号Ｓ６の信号値の低下に応じて、低値優先回路１１５が出力する開度指令信号Ｓ１１の信号値が低下するように、開度指令信号Ｓ１１の出力が行われる。その結果、第１の蒸気弁Ｖ１０＿１は、低値優先回路１１５が出力する開度指令信号Ｓ１１の信号値に応じて、最大開度に開けられた状態（全開）から、全て閉められた状態（全閉）の間において、開度が調整される。
【０１６８】
［Ｃ−１−２］第２の弁制御部１２、第３の弁制御部１３、第４の弁制御部１４の動作
第２の弁制御部１２、第３の弁制御部１３、第４の弁制御部１４のそれぞれにおいても、第１の弁制御部１１の場合と同様に、演算処理が行われる。
【０１６９】
そして、第２の蒸気弁Ｖ１０＿２、第３の蒸気弁Ｖ１０＿３、第４の蒸気弁Ｖ１０＿４のそれぞれに、開度指令信号Ｓ１２，Ｓ１３，Ｓ１４が出力される（図７，図８，図１０，図１１，図１２参照）。
【０１７０】
［Ｃ−１−３］第１から第４の蒸気弁Ｖ１０＿１〜４の動作
第１から第４の蒸気弁Ｖ１０＿１〜４のそれぞれは、図７，図８に示すように、第１から第４の弁制御部１１〜１４のそれぞれから出力された開度指令信号Ｓ１１〜Ｓ１４の信号値に対応する開度に調整される。ここでは、図９（ｂ），図１０（ｂ），図１１（ｂ），図１２（ｂ）に示す開度指令信号Ｓ１１，Ｓ１２，Ｓ１３，Ｓ１４のそれぞれに応じて、第１から第４の蒸気弁Ｖ１０＿１〜４のそれぞれの開度が調節される。
【０１７１】
［Ｃ−１−３−１］開度指令信号Ｓ１１〜Ｓ１４の信号値が増加する場合の動作（開動作）
図９（ｂ），図１０（ｂ），図１１（ｂ），図１２（ｂ）に示すように、開度指令信号Ｓ１１，Ｓ１２，Ｓ１３，Ｓ１４の各信号値は、低値優先回路６の出力信号Ｓ６（＝Ｘａ（負荷要求信号））が増加するに伴って、第１の弁制御部１１，第２の弁制御部１２，第３の弁制御部１３，第４の弁制御部１４の順で、０％よりも大きな値になる。このため、第１から第４の蒸気弁Ｖ１０＿１〜４のそれぞれは、第１の蒸気弁Ｖ１０＿１、第２の蒸気弁Ｖ１０＿２、第３の蒸気弁Ｖ１０＿３、第４の蒸気弁Ｖ１０＿４の順で、弁が開けられる。
【０１７２】
また、開度指令信号Ｓ１１，Ｓ１２，Ｓ１３，Ｓ１４の各信号値は、低値優先回路６の出力信号Ｓ６が増加するに伴って、第１の弁制御部１１，第２の弁制御部１２，第３の弁制御部１３，第４の弁制御部１４の順で、１００％の値になる。このため、第１から第４の蒸気弁Ｖ１０＿１〜４のそれぞれは、第１の蒸気弁Ｖ１０＿１、第２の蒸気弁Ｖ１０＿２、第３の蒸気弁Ｖ１０＿３、第４の蒸気弁Ｖ１０＿４の順で、弁が全開になる。
【０１７３】
低値優先回路６の出力信号Ｓ６が閾値ＴＨｂ以下のときには、開度指令信号Ｓ１１，Ｓ１２，Ｓ１３，Ｓ１４の各信号値は、１００−α％以下である。このため、この場合には、第１から第４の蒸気弁Ｖ１０＿１〜４のそれぞれは、最大開度（全開）よりも小さく制限した制限開度（１００−α％）を上限として制御される。
【０１７４】
その後、低値優先回路６の出力信号Ｓ６が閾値ＴＨｂを超えたときには、開度指令信号Ｓ１１，Ｓ１２，Ｓ１３，Ｓ１４の各信号値は、１００％になる。このため、この場合には、第１から第４の蒸気弁Ｖ１０＿１〜４のそれぞれは、最大開度（全開）になる。
【０１７５】
図１３は、第２実施形態に係る蒸気タービンシステムにおいて、第１から第４の蒸気弁Ｖ１０＿１〜４の開度と、低値優先回路６の出力信号Ｓ６（＝Ｘａ（負荷要求信号））との関係を示す図である。図１３では、第１から第４の蒸気弁Ｖ１０＿１〜４のそれぞれを開けるときの動作（開動作）について示している。
【０１７６】
図１３において、横軸は、低値優先回路６の出力信号Ｓ６（＝Ｘａ）の信号値であり、縦軸は、第１から第４の蒸気弁Ｖ１０＿１〜４の開度である。図１３は、図９（ｂ），図１０（ｂ），図１１（ｂ），図１２（ｂ）に示す開度指令信号Ｓ１１〜Ｓ１４において、信号値が増加する場合について、重複させたものに相当する。
【０１７７】
図１３に示すように、低値優先回路６の出力信号Ｓ６（負荷要求信号Ｘａ）が増加するに伴って、第１の蒸気弁Ｖ１０＿１、第２の蒸気弁Ｖ１０＿２、第３の蒸気弁Ｖ１０＿３、第４の蒸気弁Ｖ１０＿４の順で開けられた後に、最大開度（全開）になる。
【０１７８】
第１の蒸気弁Ｖ１０＿１は、図１３に示すように、低値優先回路６の出力信号Ｓ６（負荷要求信号）が閾値ＴＨｂ（＝Ｙ１＋α１）になるまでは、最大開度よりも小さく制限された制限開度（１００−α％）を上限として制御される。そして、第１の蒸気弁Ｖ１０＿１は、閾値ＴＨｂ（＝Ｙ１＋α１）を超えたときに、最大開度（全開）になる。
【０１７９】
第２の蒸気弁Ｖ１０＿２は、図１３に示すように、第１の蒸気弁Ｖ１０＿１の次に開けられ、低値優先回路６の出力信号Ｓ６（負荷要求信号）が閾値ＴＨｂ（＝Ｙ２＋α２）になるまでは、最大開度よりも小さく制限された制限開度（１００−α％）を上限として制御される。そして、第２の蒸気弁Ｖ１０＿２は、閾値ＴＨｂ（＝Ｙ２＋α２）を超えたときに、第１の蒸気弁Ｖ１０＿１に次いで、最大開度（全開）になる。
【０１８０】
第３の蒸気弁Ｖ１０＿３は、図１３に示すように、第２の蒸気弁Ｖ１０＿２の次に開けられ、低値優先回路６の出力信号Ｓ６（負荷要求信号）が閾値ＴＨｂ（＝Ｙ３＋α３）になるまでは、最大開度よりも小さく制限された制限開度（１００−α％）を上限として制御される。そして、第３の蒸気弁Ｖ１０＿３は、閾値ＴＨｂ（＝Ｙ３＋α３）を超えたときに、第２の蒸気弁Ｖ１０＿２に次いで、最大開度（全開）になる。
【０１８１】
第４の蒸気弁Ｖ１０＿４は、図１３に示すように、第３の蒸気弁Ｖ１０＿３の次に開けられ、低値優先回路６の出力信号Ｓ６（負荷要求信号）が閾値ＴＨｂ（＝Ｙ４＋α４）になるまでは、最大開度よりも小さく制限された制限開度（１００−α％）を上限として制御される。そして、第４の蒸気弁Ｖ１０＿４は、閾値ＴＨｂ（＝Ｙ４＋α４）を超えたときに、第３の蒸気弁Ｖ１０＿３に次いで、最大開度（全開）になる。
【０１８２】
［Ｃ−１−３−２］開度指令信号Ｓ１１〜Ｓ１４の信号値が１００％になった後に低下する場合の動作（閉動作）
図９（ｂ），図１０（ｂ），図１１（ｂ），図１２（ｂ）に示すように、開度指令信号Ｓ１１，Ｓ１２，Ｓ１３，Ｓ１４の各信号値が、一旦、１００％になった後には、低値優先回路６の出力信号Ｓ６が上記の閾値ＴＨｂよりも低い閾値ＴＨａに低下するまで、開度指令信号Ｓ１１，Ｓ１２，Ｓ１３，Ｓ１４の各信号値は、１００％を保持される。このため、この場合には、第１から第４の蒸気弁Ｖ１０＿１〜４のそれぞれは、最大開度（全開）で保持される。
【０１８３】
そして、低値優先回路６の出力信号Ｓ６が、その閾値ＴＨａよりも小さくなったときには、開度指令信号Ｓ１１，Ｓ１２，Ｓ１３，Ｓ１４の各信号値は、１００％の値の状態から、関数Ｆ１（Ｓ６），Ｆ２（Ｓ６），Ｆ３（Ｓ６），Ｆ４（Ｓ６）を用いて求められた値に低下する。そして、第１から第４の蒸気弁Ｖ１０＿１〜４のそれぞれは、その低値優先回路６の出力信号Ｓ６に応じた開度に調整される。
【０１８４】
つまり、低値優先回路６の出力信号Ｓ６が低下する場合には、低値優先回路６の出力信号Ｓ６が増加する場合と異なり、第１から第４の蒸気弁Ｖ１０＿１〜４を、最大開度よりも小さい制限開度に制限せずに、通常の「調速運転」と同様に、最大開度まで開ける。
【０１８５】
図１４は、第２実施形態に係る蒸気タービンシステムにおいて、第１から第４の蒸気弁Ｖ１０＿１〜４の開度と、低値優先回路６の出力信号Ｓ６（＝Ｘａ（負荷要求信号））との関係を示す図である。図１４では、第１から第４の蒸気弁Ｖ１０＿１〜４のそれぞれを閉めるときの動作（閉動作）について示している。
【０１８６】
図１４において、横軸は、図１３と同様に、低値優先回路６の出力信号Ｓ６（＝Ｘａ）の信号値であり、縦軸は、第１から第４の蒸気弁Ｖ１０＿１〜４の開度である。図１４は、図９（ｂ），図１０（ｂ），図１１（ｂ），図１２（ｂ）に示す開度指令信号Ｓ１１〜Ｓ１４において、信号値が低下する場合について、重複させたものに相当する。
【０１８７】
図１４に示すように、低値優先回路６の出力信号Ｓ６（負荷要求信号Ｘａ）が低下するに伴って、第４の蒸気弁Ｖ１０＿４、第３の蒸気弁Ｖ１０＿３、第２の蒸気弁Ｖ１０＿２、第１の蒸気弁Ｖ１０＿１の順で全開から閉められた後に、全閉になる。
【０１８８】
第４の蒸気弁Ｖ１０＿４は、図１４に示すように、低値優先回路６の出力信号Ｓ６（負荷要求信号）が閾値ＴＨａ（＝Ｙ４）になるまでは、最大開度（１００％）に制御される。そして、第４の蒸気弁Ｖ１０＿４は、その閾値ＴＨａ（＝Ｙ４）よりも低下したときに、弁が閉まり始めて全閉になる。
【０１８９】
第３の蒸気弁Ｖ１０＿３は、図１４に示すように、低値優先回路６の出力信号Ｓ６（負荷要求信号）が閾値ＴＨａ（＝Ｙ３）になるまでは、最大開度（１００％）に制御される。そして、第３の蒸気弁Ｖ１０＿３は、第４の蒸気弁Ｖ１０＿４の次に閉められる。ここでは、第３の蒸気弁Ｖ１０＿３は、閾値ＴＨａ（＝Ｙ３）よりも低下したときに、弁が閉まり始めて全閉になる。
【０１９０】
第２の蒸気弁Ｖ１０＿２は、図１４に示すように、低値優先回路６の出力信号Ｓ６（負荷要求信号）が閾値ＴＨａ（＝Ｙ２）になるまでは、最大開度（１００％）に制御される。そして、第２の蒸気弁Ｖ１０＿２は、第３の蒸気弁Ｖ１０＿３の次に閉められる。ここでは、第２の蒸気弁Ｖ１０＿２は、閾値ＴＨａ（＝Ｙ２）よりも低下したときに、弁が閉まり始めて全閉になる。
【０１９１】
第１の蒸気弁Ｖ１０＿１は、図１４に示すように、低値優先回路６の出力信号Ｓ６（負荷要求信号）が閾値ＴＨａ（＝Ｙ１）になるまでは、最大開度（１００％）に制御される。そして、第１の蒸気弁Ｖ１０＿１は、第２の蒸気弁Ｖ１０＿２の次に閉められる。ここでは、第３の蒸気弁Ｖ１０＿３は、閾値ＴＨａ（＝Ｙ１）よりも低下したときに、弁が閉まり始めて全閉になる。
【０１９２】
このように、低値優先回路６の出力信号Ｓ６において、全開位置へ弁を開く「開動作」を開始するときの信号値は、閾値ＴＨｂである。一方で、低値優先回路６の出力信号Ｓ６において、全開位置から弁を閉める「閉動作」を開始するときの信号値は、全開位置へ弁を開く「開動作」を開始するときの信号値（閾値ＴＨｂ）よりも低い閾値ＴＨａである。全開位置への「開動作」を開始する開始点と、全開位置から「閉動作」を開始するときの開始点とが異なっている。
【０１９３】
［Ｂ−２］「負荷制限運転」の場合
「負荷制限運転」の場合には、上述したように、負荷要求信号Ｓ４（＝Ｘａ）が負荷制限信号Ｓ５（＝Ｘｂ）よりも大きい（Ｓ４＞Ｓ５（つまり、Ｘａ＞Ｘｂ））。このため、低値優先回路６においては、負荷制限信号Ｓ５（＝Ｘｂ）が選択され、その選択された負荷制限信号Ｓ５（＝Ｘｂ）が、出力信号Ｓ６として、低値優先回路６から、第１の弁制御部１１、第２の弁制御部１２，第３の弁制御部１３，第４の弁制御部１４のそれぞれに出力される（図７，図８参照）。そして、第１の弁制御部１１、第２の弁制御部１２，第３の弁制御部１３，第４の弁制御部１４のそれぞれにおいて演算処理が行われて、各部から開度指令信号Ｓ１１，Ｓ１２，Ｓ１３，Ｓ１４が出力される。
【０１９４】
第１の弁制御部１１においては、図７に示すように、低値優先回路６から出力された出力信号Ｓ６（＝Ｘｂ）が、関数発生器１１１に入力される。関数発生器１１１では、関数Ｆ１（Ｓ６）を用いて、その低値優先回路６が出力した出力信号Ｓ６（＝Ｘｂ）に対応する開度指令信号Ｓ１１１（Ｘｃ＝Ｆ１（Ｘｂ））が求められ、低値優先回路１１５に出力される。
【０１９５】
第１の弁制御部１１においては、図７に示すように、上記の他に、負荷要求信号Ｓ４（＝Ｘａ）と負荷制限信号Ｓ５（＝Ｘｂ）とのそれぞれが、比較器１１２（第１比較器）に入力される。そして、比較器１１２において比較処理が行われ、その比較処理の結果に基づいて、比較器１１２から出力信号Ｓ１１２が出力される。ここでは、「負荷制限運転」を行うので、負荷要求信号Ｓ４（＝Ｘａ）の値が負荷制限信号Ｓ５（＝Ｘｂ）の値よりも大きい（Ｓ４＞Ｓ５（Ｘａ＞Ｘｂ））。このため、この場合には、信号値が１の出力信号Ｓ１１２（Ｈｉｇｈ信号）が、比較器１１２からＯＲ回路１１２に出力される。
【０１９６】
図７に示すように、ＯＲ回路１１８においては、比較器１１２（第１比較器）の出力信号Ｓ１１２が入力される他に、比較器１１６（第２比較器）の出力信号Ｓ１１６が入力される。比較器１１２（第１比較器）の出力信号Ｓ１１２は、上記のように、信号値が１の信号（Ｈｉｇｈ信号）である。このため、ＯＲ回路１１８は、信号値が１の出力信号Ｓ１１８（Ｈｉｇｈ信号）をスイッチ回路１１３に出力する。
【０１９７】
ＯＲ回路１１８の出力信号Ｓ１１８の信号値が１であるので、スイッチ回路１１３は、１００＋β％の開度指令信号Ｓｂを出力信号Ｓ１１３として変化率制限器１１４に出力する。その後、変化率制限器１１４が低値優先回路１１５に出力信号Ｓ１１４（＝Ｓｂ＝１００＋β％）を出力する。
【０１９８】
そして、低値優先回路１１５において、関数発生器１１１が出力した開度指令信号Ｓ１１１（＝Ｘｃ＝Ｆ（Ｘｂ））と、変化率制限器１１４が出力した出力信号Ｓ１１４（＝Ｓｂ＝１００＋β％）との間を比較する比較処理が行われる。そして、両者のうち低い方の値が開度指令信号Ｓ１１として第１の蒸気弁Ｖ１０＿１に出力される。
【０１９９】
このため、低値優先回路１１５が出力する開度指令信号Ｓ１１は、図９（ａ）に示すように、１００＋β％以下になり、具体的には、図９（ｂ）に示すように、信号値の上限が１００％になる。したがって、第１の蒸気弁Ｖ１０＿１の開度は、最大開度（１００％）まで開けられる。
【０２００】
第２の弁制御部１２、第３の弁制御部１３、第４の弁制御部１４のそれぞれにおいても、第１の弁制御部１１の場合と同様に演算処理を行い、第２の蒸気弁Ｖ１０＿２、第３の蒸気弁Ｖ１０＿３、第４の蒸気弁Ｖ１０＿４のそれぞれに、開度指令信号Ｓ１２，Ｓ１３，Ｓ１４を出力する（図７，図８参照）。第２の弁制御部１２、第３の弁制御部１３、第４の弁制御部１４のそれぞれが出力する開度指令信号Ｓ１２，Ｓ１３，Ｓ１４のそれぞれも、上記と同様に、信号値の上限が１００％になる。したがって、第２の蒸気弁Ｖ１０＿２、第３の蒸気弁Ｖ１０＿３、第４の蒸気弁Ｖ１０＿４の開度は、第１の蒸気弁Ｖ１０＿１の場合と同様に、最大開度まで開けられる。
【０２０１】
［Ｃ］まとめ
以上のように、本実施形態の蒸気タービンシステムにおいて、制御部１００は、「ノズル調速方式」での運用を行う。制御部１００は、低値優先回路６の出力信号Ｓ６（＝負荷要求信号Ｘａ）等に応じて、開度指令信号Ｓ１１，Ｓ１２，Ｓ１３を複数の蒸気弁Ｖ１０＿１〜４のそれぞれに出力することによって、複数の蒸気弁Ｖ１０＿１〜４のそれぞれが、順に、開き始めて最大開度（全開）になるように制御を行う。
【０２０２】
本実施形態において、制御部１００は、「調速運転」を行うときには、複数の蒸気弁Ｖ１０＿１〜４のうち、調速のために開度が調節されるものについては、最大開度（１００％）よりも小さく制限した制限開度（１００−α％）を上限として、制御を行う。
【０２０３】
具体的には、低値優先回路６の出力信号Ｓ６（＝負荷要求信号Ｘａ）が、複数の蒸気弁Ｖ１０＿１〜４を全閉にする信号値から、全開にする信号値よりも大きい閾値ＴＨｂ（＝Ｙ１＋α１，Ｙ２＋α２，Ｙ３＋α３，Ｙ４＋α４）以下までの範囲（０≦Ｘａ≦ＴＨｂ）において増加する場合には、制御部１００は、最大開度（１００％）よりも小さく制限した制限開度（１００−α％）を上限とするように、開度指令信号Ｓ１１，Ｓ１２，Ｓ１３，Ｓ１４を出力して、複数の蒸気弁Ｖ１０＿１〜４のそれぞれを制御する（図９〜図１２参照）。
【０２０４】
低値優先回路６の出力信号Ｓ６（＝負荷要求信号Ｘａ）が、閾値ＴＨｂ（＝Ｙ１＋α１，Ｙ２＋α２，Ｙ３＋α３，Ｙ４＋α４）を超えた範囲（Ｘａ＞ＴＨｂ）の場合には、制御部１００は、制限開度（１００−α％）を上限として制限せずに、最大開度（１００％）になるように、開度指令信号Ｓ１１，Ｓ１２，Ｓ１３を出力して、複数の蒸気弁Ｖ１０＿１〜４のそれぞれを制御する（図９〜図１２参照）。
【０２０５】
低値優先回路６の出力信号Ｓ６（＝負荷要求信号Ｘａ）が、閾値ＴＨｂ（＝Ｙ１＋α１，Ｙ２＋α２，Ｙ３＋α３，Ｙ４＋α４）を超えた状態から、その閾値ＴＨｂ以下であって、複数の蒸気弁Ｖ１０＿１〜４が全開になる信号値よりも小さい閾値ＴＨａ（＝Ｙ１，Ｙ２，Ｙ３，Ｙ４）の間の範囲（ＴＨａ＜Ｘａ≦ＴＨｂ）に低下した場合には、制御部１００は、最大開度（１００％）を保持するように、複数の蒸気弁Ｖ１０＿１〜４のそれぞれを制御する（図９〜図１２参照）。
【０２０６】
そして、低値優先回路６の出力信号Ｓ６（＝負荷要求信号Ｘａ）が、その閾値ＴＨａ（＝Ｙ１，Ｙ２，Ｙ３，Ｙ４）以下の範囲（ＴＨａ＜Ｘａ≦ＴＨｂ）に低下した場合には、複数の蒸気弁Ｖ１０＿１〜４のそれぞれを、通常通りに、低値優先回路６の出力信号Ｓ６（＝負荷要求信号Ｘａ）の信号値に応じて開度に制御する（図９〜図１２参照）。
【０２０７】
このため、「調速運転」において、系統周波数が変化し開度指令信号Ｓ１１〜Ｓ１４が周期的に変動するときであっても、弁棒２７が上蓋２２に繰返して接触することを防止できる（図１５参照）。その結果、複数の蒸気弁Ｖ１０＿１〜４において、疲労破壊により割れが発生することを防止できる。
【０２０８】
これに対して、「負荷制限運転」を行うときには、制御部１００は、複数の蒸気弁Ｖ１０＿１〜４の開度を制限せずに、最大開度を上限として、制御を行う。このため、全開位置において弁棒２７が上蓋２２に接触した状態が保持され、弁棒２７と上蓋２２との隙間から蒸気が漏れることを防止できる（図１５参照）。その結果、タービンの性能を向上することができる。
【０２０９】
したがって、本実施形態においては、蒸気タービンを安定に運転させることできる。
【０２１０】
＜その他＞
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０２１１】
１…偏差演算器、２…速度調定率器、３…負荷設定器、４…加算器、５…負荷制限器、６…低値優先回路、１０…ボイラ、１１…第１の弁制御部、１２…第２の弁制御部、１３…第３の弁制御部、１４…第４の弁制御部、２０…高圧タービン、２１…弁ケーシング、２２…上蓋、２２Ｋ…貫通孔、２２ｂ…ブッシュ、２３…スリーブ、２５…主弁、２６…弁座、２７…弁棒、２７Ｓ…接触面、３０…再熱器、４０…中圧タービン、５０…低圧タービン、６０…復水器、７０…発電機、１００…制御部、１０１…タービン回転数検出器、１１１…関数発生器、１１２…比較器、１１２…回路、１１３…スイッチ回路、１１４…変化率制限器、１１５…低値優先回路、１１６…比較器、１１７…取消し回路、１１８…ＯＲ回路、１２１…関数発生器、１２２…比較器、１２３…スイッチ回路、１２４…変化率制限器、１２５…低値優先回路、１２６…比較器、１２７…取消し回路、１２８…ＯＲ回路、１３１…関数発生器、１３２…比較器、１３３…スイッチ回路、１３４…変化率制限器、１３５…低値優先回路、１３６…比較器、１３７…取消し回路、１３８…ＯＲ回路、１４１…関数発生器、１４２…比較器、１４３…スイッチ回路、１４４…変化率制限器、１４５…低値優先回路、１４６…比較器、１４７…取消し回路、１４８…ＯＲ回路、Ｐ１０…主蒸気管、Ｐ２０…低温再熱蒸気管、Ｐ３０…高温再熱蒸気管、Ｐ４０…クロスオーバー管、Ｖ１０…蒸気弁
【図１】
2014185563.tif 000003
【図２】
2014185563.tif 000004
【図３】
2014185563.tif 000005
【図４】
2014185563.tif 000006
【図５】
2014185563.tif 000007
【図６】
2014185563.tif 000008
【図７】
2014185563.tif 000009
【図８】
2014185563.tif 000010
【図９】
2014185563.tif 000011
【図１０】
2014185563.tif 000012
【図１１】
2014185563.tif 000013
【図１２】
2014185563.tif 000014
【図１３】
2014185563.tif 000015
【図１４】
2014185563.tif 000016
【図１５】
2014185563.tif 000017